(57)【特許請求の範囲】
【請求項１】
複数の画素電極を有する電極基板と、前記電極基板に対向する対向基板と、前記複数の画素電極のそれぞれに対向する色要素を有するカラーフィルタと、前記電極基板と前記対向基板との間に挟持された液晶と、前記電極基板と前記対向基板の少なくとも一方の前記液晶面側に延在する配向規制手段とを備える液晶装置であって、
前記色要素は、赤色、緑色、及び青色と、前記赤色、前記緑色、及び前記青色とは補色の関係にある青緑色、紫赤色、及び黄色を有し、
前記各色要素に対応する位置に前記配向規制手段が形成され、
前記赤色、前記緑色、及び前記青色に対応する位置に形成された前記配向規制手段の延在方向は、前記赤色、前記緑色、及び前記青色の並び方向に対して第１の角度傾いた延在方向であり、
前記青緑色、前記紫赤色、及び前記黄色に対応する位置に形成された前記配向規制手段の延在方向は、前記並び方向に対して、前記第１の角度とは異なる第２の角度傾いた延在方向であることを特徴とする液晶装置。
【請求項２】
前記各色要素において、光が透過する有効面積は、前記赤色、前記緑色、又は前記青色と、前記青緑色、前記紫赤色、又は前記黄色で、異なることを特徴とする、請求項１に記載の液晶装置。
【請求項３】
前記配向規制手段は、前記液晶面側に形成された突起、又は凹部であることを特徴とする、請求項１又は２に記載の液晶装置。
【請求項４】
前記各色要素に前記突起又は前記凹部のいずれか一方又は両方が形成されていることを特徴とする、請求項３に記載の液晶装置。
【請求項５】
請求項１乃至４のいずれか１項に記載の液晶装置を備えることを特徴とする電子機器。
【発明の詳細な説明】
【技術分野】
【０００１】
本発明は、液晶装置、及び当該液晶装置を備える電子機器に関する。
【背景技術】
【０００２】
従来から、液晶を内蔵し、画像を構成する単位である画素ごとに画素電極を形成し、当該画素電極に印加する電圧によって液晶の配向方向を制御することで画像を形成する液晶表示装置（ＬＣＤ：Liquid Crystal Display）などの液晶装置が知られている。液晶表示装置は、正面視でのコントラストや色再現性などの画像品質はＣＲＴ（Cathode Ray tube）に匹敵する。しかし、画像品質に視角依存性があり、ＣＲＴに比べて視野角が狭いという欠点があり、特許文献１には、配向規制手段（ドメイン規制手段）を設けることで、液晶の配向方向を規制して視野角を広げることができる液晶表示装置が開示されている。
【０００３】
また、カラー画像を表示するためには、例えば光の三原色である赤色、緑色、青色のフィルタを各画素ごとに形成する。赤色、緑色、青色のフィルタが形成された画素は、当該色の画素となる。当該赤色、緑色、青色の画素を各１画素以上含みカラー画像を構成する単位（以下、「絵素」と表記する）の中の赤色、緑色、青色の強さを色ごとに変えることによって絵素の色を作り出している。再現できる色域を拡大するために、赤色、緑色、青色のフィルタに加えて他の色のフィルタを形成した多色フィルタが用いられている。多色フィルタには、赤色、緑色、青色に加えて赤色、緑色、青色の補色のシアン（青緑）、マゼンダ（紫赤）、イエロー（黄色）のフィルタを設けた６色フィルタや、シアン（青緑）、マゼンダ（紫赤）、イエロー（黄色）の３色に緑色を加えた４色補色フィルタなどがある。特許文献２には、様々な多色フィルタ及び多色フィルタを備える電気光学パネルが開示されている。
【先行技術文献】
【特許文献】
【０００４】
【特許文献１】特許第２９４７３５０号公報
【特許文献２】特開２００２−２８６９２７号公報
【発明の概要】
【発明が解決しようとする課題】
【０００５】
しかしながら、特許文献１に開示された配向規制手段（ドメイン規制手段）は、特許文献２に開示されたような多色フィルタを備える液晶表示装置についての配慮がなされたものではなかった。配向規制手段をフィルタ面に設けることにより、液晶の配向方向を規制して、より広い範囲（視野角）において充分な光量が得られるようになる。視野角の中で配向規制手段によって広がった部分、即ち、配向規制手段によって光量が増加し、充分な光量が得られるようになった部分において、配向規制手段が光量の増加に及ぼす影響が同じであり、増加した光量が同じであっても、光がフィルタを通過することで、増加した光量が色バランスに及ぼす影響はフィルタの色によって異なっている。また、画素の光が透過する面積である有効面積によっても異なっている。即ち、多色フィルタにおいて、配向規制手段を利用して各色毎の視野角を広げたときに、広がった視野角の中で、必ずしも適切な色バランスが実現されないという課題があった。
【０００６】
本発明は、上記課題を解決するものであり、多色フィルタを備える液晶装置及び当該液晶装置を備える電子機器であって、配向規制手段を利用して視野角を広げるとともに、広がった視野角の中で、適切な色バランスを実現することができる液晶装置及び電子機器を実現することを目的とする。
【課題を解決するための手段】
【０００７】
本発明による液晶装置は、複数の画素電極を有する電極基板と、電極基板に対向する対向基板と、複数の画素電極のそれぞれに対向する色要素を有するカラーフィルタと、電極基板と対向基板との間に狭持された液晶と、電極基板と対向基板の少なくとも一方の液晶と接触する面に延在する配向規制手段とを備える液晶装置であって、色要素の色を４色以上有し、４色以上の色の中の少なくとも３色の所定の色のいずれかの色である色要素に対応する位置に形成された配向規制手段の延在方向が各色毎に定められており、各色間で互いに異なることを特徴とする。
【０００８】
多色フィルタを備える液晶装置は、備える色の色要素を有する画素を各色毎に１画素以上含みカラー画像を構成する単位（以下、「絵素」と表記する。）の中の各色の強さを色ごとに変えることによってカラー画像の色を作り出している。ガマット（Gamut）上の当該多色フィルタが有する各色の点を結んだ多角形の内側の色を再現することができる。少なくとも３色の画素があれば、ガマット上の３色の点を結んだ三角形の内側の色を再現することができる。
【０００９】
配向規制手段を色要素面に設けることにより、液晶の配向方向を規制して、より広い範囲（視野角）において充分な光量が得られるようになる。視野角の中で配向規制手段によって広がった部分、即ち、配向規制手段によって光量が増加し、充分な光量が得られるようになった部分において、配向規制手段が光量の増加に及ぼす影響が同じであり、増加した光量が同じであっても、光が色要素を通過することで、増加した光量が色バランスに及ぼす影響は色要素の色によって異なっている。
【００１０】
本発明に係る液晶装置によれば、絵素を構成する少なくとも３色の色要素に対応する位置に形成された配向規制手段の延在方向が互いに異なっている。従って、絵素を構成する少なくとも３色の画素における配向規制手段の延在方向を各色ごとに設定することで、少なくとも３色の画素において、当該配向規制手段の延在方向によって規制される液晶の配向方向を各色に応じた適切な方向に設定することが可能である。これにより、配向規制手段によって液晶の配向方向を規制して視野角を広げるとともに、各色毎に配向方向を個別に設定することで、広がった視野角の中で、適切な色バランスを実現することができる。
【００１１】
この場合、液晶装置は、所定の色以外の色である色要素に対応する位置に形成された配向規制手段の延在方向が各色毎に定められており、各色間で互いに異なると共に、所定の色のいずれかの色である色要素に対応する位置に形成された配向規制手段の延在方向のいずれかとも異なることが好ましい。
【００１２】
この液晶装置の構成によれば、絵素を構成するそれぞれの色の色要素に対応する位置に形成された配向規制手段の延在方向がそれぞれ異なっている。従って、絵素を構成する各色の画素における配向規制手段の延在方向を各色ごとに設定することで、各画素において、当該配向規制手段の延在方向によって規制される液晶の配向方向を各色に応じた適切な方向に設定することが可能である。これにより、配向規制手段によって液晶の配向方向を規制して視野角を広げるとともに、各色毎に配向方向を個別に設定することで、広がった視野角の中で、適切な色バランスを実現することができる。
【００１３】
この場合、液晶装置は、所定の色が、三原色である赤色、緑色、青色であることが好ましい。
【００１４】
多色フィルタを備える液晶装置の多くは、少ない色で広い色再現範囲が得られる光の三原色の各色の色要素を有する画素を備えている。この構成によれば、絵素を構成する光の三原色の色要素に対応する位置に形成された配向規制手段の延在方向がそれぞれ異なっている。従って、絵素を構成する光の三原色の画素における配向規制手段の延在方向を各色ごとに設定することで、光の三原色の画素において、当該配向規制手段の延在方向によって規制される液晶の配向方向を各色に応じた適切な方向に設定することが可能である。これにより、配向規制手段によって光の三原色の各色の色要素を有する画素の液晶の配向方向を規制して視野角を広げるとともに、各色毎に配向方向を個別に設定することで、広がった視野角の中で、適切な色バランスを実現することができる。
【００１５】
この場合、液晶装置は、色要素の色が三原色以外の色である色要素に対応する位置に形成された配向規制手段の延在方向が各色毎に定められており、各色間で互いに異なることが好ましい。
【００１６】
この液晶装置の構成によれば、絵素を構成する光の三原色以外の色要素に対応する位置に形成された配向規制手段の延在方向が異なっている。従って、絵素を構成する光の三原色以外の色の画素における配向規制手段の延在方向を各色ごとに設定することで、光の三原色以外の色の画素において、当該配向規制手段の延在方向によって規制される液晶の配向方向を各色に応じた適切な方向に設定することが可能である。これにより、光の三原色について広がった視野角の中で適切な色バランスを実現することができるのに加えて、配向規制手段によって光の三原色以外の各色の色要素を有する画素の液晶の配向方向を規制して視野角を広げるとともに、各色毎に配向方向を個別に設定することで、広がった視野角の中で、適切な色バランスを実現することができる。
【００１７】
この場合、液晶装置は、所定の色が、三原色である赤色、緑色、青色のそれぞれの補色である青緑色、紫赤色、黄色のいずれかであることが好ましい。
【００１８】
より明るい液晶装置を実現するために、光の三原色と同等の広い色再現範囲が得られるとともに、光の三原色より色が薄いために明るい画像が得られる光の三原色の補色の色要素を有する補色フィルタを備える液晶装置が知られている。この構成によれば、絵素を構成する光の三原色の補色の色要素に対応する位置に形成された配向規制手段の延在方向がそれぞれ異なっている。従って、絵素を構成する光の三原色の補色の画素における配向規制手段の延在方向を各色ごとに設定することで、光の三原色の補色の色の画素において、当該配向規制手段の延在方向によって規制される液晶の配向方向を各色に応じた適切な方向に設定することが可能である。これにより、配向規制手段によって光の三原色の補色の各色の色要素を有する画素の液晶の配向方向を規制して視野角を広げるとともに、各色毎に配向方向を個別に設定することで、広がった視野角の中で、適切な色バランスを実現することができる。
【００１９】
この場合、液晶装置は、色要素の色が三原色の補色以外の色である色要素に対応する位置に形成された配向規制手段の延在方向が各色毎に定められており、各色間で互いに異なることが好ましい。
【００２０】
この構成によれば、絵素を構成する光の三原色の補色以外の色要素に対応する位置に形成された配向規制手段の延在方向が異なっている。従って、絵素を構成する光の三原色の補色以外の色の画素における配向規制手段の延在方向を各色ごとに設定することで、光の三原色の補色以外の色の画素において、当該配向規制手段の延在方向によって規制される液晶の配向方向を各色に応じた適切な方向に設定することが可能である。これにより、光の三原色の補色について、広がった視野角の中で適切な色バランスを実現することができるのに加えて、配向規制手段によって光の三原色の補色以外の各色の色要素を有する画素の液晶の配向方向を規制して視野角を広げるとともに、各色毎に配向方向を個別に設定することで、広がった視野角の中で、適切な色バランスを実現することができる。
【００２１】
本発明による液晶装置は、複数の画素電極を有する電極基板と、電極基板に対向する対向基板と、複数の画素電極のそれぞれに対向する色要素を有するカラーフィルタと、電極基板と対向基板との間に狭持された液晶と、電極基板と対向基板の少なくとも一方の液晶と接触する面に延在する配向規制手段とを備える液晶装置であって、色要素の色として、三原色である赤色、緑色、青色と、当該三原色の補色である青緑色、紫赤色、黄色と、を備え、色要素の色が三原色のいずれかである色要素に対応する位置に形成された配向規制手段の延在方向が各色毎に定められると共に、各色間で互いに異なり、色要素の色が三原色の補色いずれかである色要素に対応する位置に形成された配向規制手段の延在方向が各色毎に定められると共に、各色間で互いに異なることを特徴とする。
【００２２】
配向規制手段を色要素面に設けることにより、液晶の配向方向を規制して、より広い範囲（視野角）において充分な光量が得られるようになる。視野角の中で配向規制手段によって広がった部分、即ち、配向規制手段によって光量が増加し、充分な光量が得られるようになった部分において、配向規制手段が光量の増加に及ぼす影響が同じであり、増加した光量が同じであっても、光が色要素を通過することで色バランスに及ぼす影響は色要素の色によって異なっている。
【００２３】
本発明に係る液晶装置によれば、絵素を構成する光の三原色の色要素に対応する位置に形成された配向規制手段の延在方向がそれぞれ異なっている。従って、絵素を構成する光の三原色の画素における配向規制手段の延在方向を各色ごとに設定することで、光の三原色の画素において、当該配向規制手段の延在方向によって規制される液晶の配向方向を各色に応じた適切な方向に個別に設定することが可能である。これにより、配向規制手段によって光の三原色の各色の色要素を有する画素の液晶の配向方向を規制して視野角を広げるとともに、各色毎に配向方向を個別に設定することで、広がった視野角の中で、光の三原色がガマット上に形成する三角形の内側の色について、適切な色バランスを実現することができる。同様に、配向規制手段によって光の三原色の補色の各色の色要素を有する画素の液晶の配向方向を規制して視野角を広げるとともに、各色毎に配向方向を個別に設定することで、広がった視野角の中で、光の三原色の補色がガマット上に形成する三角形の内側の色について、適切な色バランスを実現することができる。
【００２４】
本発明による液晶装置は、複数の画素電極を有する電極基板と、電極基板に対向する対向基板と、複数の画素電極のそれぞれに対向する色要素を有するカラーフィルタと、電極基板と対向基板との間に狭持された液晶と、電極基板と対向基板の少なくとも一方の液晶と接触する面に延在する配向規制手段とを備える液晶装置であって、色要素の色として、三原色である赤色、緑色、青色と、当該三原色の補色である青緑色、紫赤色、黄色と、を備え、色要素に対応する位置に形成された配向規制手段の延在方向が各色毎に定められると共に、色要素の色が互いに補色の関係にある色要素に対応する位置に形成された配向規制手段の延在方向が互いに異なることを特徴とする。
【００２５】
本発明に係る液晶装置によれば、互いに補色関係にある色要素に対応する位置に形成された配向規制手段の延在方向が異なっている。従って、絵素を構成する互いに補色関係にある色の色要素を有する画素における配向規制手段の延在方向を各色ごとに設定することで、互いに補色関係にある画素において、当該配向規制手段の延在方向によって規制される液晶の配向方向を各色に応じた適切な方向に設定することが可能である。これにより、互いに補色関係にある色について配向規制手段によって液晶の配向方向を規制して視野角を広げるとともに、各色毎に配向方向を個別に設定することで、広がった視野角の中で、適切な色バランスを実現することができる。
【００２６】
本発明による液晶装置は、複数の画素電極を有する電極基板と、電極基板に対向する対向基板と、複数の画素電極のそれぞれに対向する色要素を有するカラーフィルタと、電極基板と対向基板との間に狭持された液晶と、電極基板と対向基板の少なくとも一方の液晶と接触する面に延在する配向規制手段とを備える液晶装置であって、色要素は、光が透過する有効面積が第一の面積である第一の色要素と、有効面積が第二の面積である第二の色要素と、であり、第一の色要素及び第二の色要素の少なくとも一方に対応する位置に形成された配向規制手段の延在方向が、各色毎に定められると共に、第一の色要素の各色間又は第二の色要素の各色間で互いに異なることを特徴とする。
【００２７】
配向規制手段を色要素面に設けることにより、液晶の配向方向を規制して、より広い範囲（視野角）において充分な光量が得られるようになる。視野角の中で配向規制手段によって広がった部分、即ち、配向規制手段によって光量が増加し、充分な光量が得られるようになった部分において、配向規制手段が光量の増加に及ぼす影響が同じであり、増加した光量が同じであっても、光が色要素を通過することで、増加した光量が色バランスに及ぼす影響は色要素の光が透過する面積である有効面積によって異なっている。
【００２８】
本発明に係る液晶装置によれば、有効面積が同一である色要素の各色間で、各色の色要素に対応する位置に形成された配向規制手段の延在方向がそれぞれ異なっている。従って、同じ有効面積の画素における配向規制手段の延在方向を各色ごとに設定することで、同じ有効面積の画素において、当該配向規制手段の延在方向によって規制される液晶の配向方向を各色に応じた適切な方向に各色毎に個別に調整して設定することが可能である。これにより、配向規制手段によって有効面積が同一である色要素を有する画素の液晶の配向方向を規制して視野角を広げるとともに、各色毎に配向方向を個別に設定することで、広がった視野角の中で、有効面積が同一である色要素の色がガマット上に形成する多角形の内側の色について、適切な色バランスを実現することができる。
【００２９】
本発明による液晶装置は、複数の画素電極を有する電極基板と、電極基板に対向する対向基板と、複数の画素電極のそれぞれに対向する色要素を有するカラーフィルタと、電極基板と対向基板との間に狭持された液晶と、電極基板と対向基板の少なくとも一方の液晶と接触する面に延在する配向規制手段とを備える液晶装置であって、色要素は、光が透過する有効面積が第一の面積である第一の色要素と、有効面積が第二の面積である第二の色要素と、であり、第一の色要素又は第二の色要素に対応する位置に形成された配向規制手段の延在方向が、各色毎に定められると共に、第一の色要素に対応する位置に形成された配向規制手段の延在方向と、第二の色要素に対応する位置に形成された配向規制手段の延在方向と、が互いに異なることを特徴とする。
【００３０】
多色フィルタにおいて、色バランスを適正にするために、色要素の色に応じて有効面積を変えることが行われている。本発明に係る液晶装置によれば、有効面積が異なる色要素間で、各色の色要素に対応する位置に形成された配向規制手段の延在方向が互いに異なっている。従って、異なる有効面積の画素における配向規制手段の延在方向を有効面積ごとに設定することで、異なる有効面積の画素において、当該配向規制手段の延在方向によって規制される液晶の配向方向を有効面積に応じた適切な方向に各有効面積毎に個別に調整して設定することが可能である。これにより、配向規制手段によって有効面積が異なる色要素を有する画素の液晶の配向方向を規制して視野角を広げるとともに、各色要素の有効面積に応じて配向方向を個別に設定することで、有効面積を変えることで適切な色バランスが得られる各色について、広がった視野角の中で、適切な色バランスを実現することができる。
【００３１】
この場合、液晶装置は、色要素に対応する位置に形成された配向規制手段の延在方向が各色毎に定められると共に、色要素の各色間で互いに異なることが好ましい。
【００３２】
この構成によれば、絵素を構成するそれぞれの色の色要素に対応する位置に形成された配向規制手段の延在方向がそれぞれ異なっている。従って、絵素を構成する各色の画素における配向規制手段の延在方向を各色ごとに設定することで、各画素において、当該配向規制手段の延在方向によって規制される液晶の配向方向を各色に応じた適切な方向に設定することが可能である。これにより、配向規制手段によって液晶の配向方向を規制して視野角を広げるとともに、各色毎に配向方向を個別に設定することで、広がった視野角の中で、適切な色バランスを実現することができる。
【００３３】
この場合、液晶装置は、配向規制手段の延在方向が、第一の延在方向と第二の延在方向とであり、一つの色要素に対応する配向規制手段は、第一の延在方向に延在する配向規制手段と、第二の延在方向に延在する配向規制手段と、の両方を含むことが好ましい。
【００３４】
一方向に延在する配向規制手段を設けることで、一方向の視野角を広げることができる。一方向の視野角とは、例えば液晶装置の左右方向の視野角であったり、上下方向の視野角であったり、斜めの一方向の視野角である。この構成によれば、二方向に延在する配向規制手段によって二方向の視野角を広げることができる。
【００３５】
この場合、液晶装置は、配向規制手段が、液晶と接触する面に形成された突起、又は液晶と接触する面に形成された凹部であることが好ましい。
【００３６】
この構成によれば、突起又は凹部が液晶が傾く方向を規制する配向規制手段として機能する。液晶を配向させるための画素電極に駆動電圧が印加されていない状態の液晶装置において、液晶の液晶分子は、配向膜に垂直に配向する。液晶層に接する平坦な面に突起又は凹部を形成すると、突起又は凹部の側壁面に接する液晶分子は突起又は凹部の側壁面に略垂直に配向することから、平坦な面に対しては傾いて配向する。画素電極に所定の駆動電圧が印加されると、液晶分子は向きを変えて磁界に直角な方向に配向する。このとき、駆動電圧が印加されていない状態で傾いた液晶分子は傾いた方向にさらに傾いて向きを変え、当該液晶分子の影響を受けて周囲の液晶分子も同じ方向に傾いて向きを変える。これにより、液晶分子の傾く方向が一定になる。
【００３７】
この場合、液晶装置は、突起、又は凹部は、各色要素毎に突起又は凹部のいずれか一方又は両方が形成されていてもよい。
【００３８】
この場合、液晶装置は、凹部が、画素電極にスリットを設けることで形成されることが好ましい。
【００３９】
この構成によれば、画素電極にスリットを形成するだけで、凹部を形成するために他の部材を設けることを必要とせずに、凹部を形成することができる。
【００４０】
この場合、液晶装置は、配向規制手段が、隣接する画素電極の間の隙間であることが好ましい。
【００４１】
ＩＰＳ（In‐Plane SWITCHING）方式の液晶装置では、液晶層を挟持し液晶層に接する面の一方の面に画素電極を形成し、一画素内に少なくとも２以上の独立した画素電極を形成する。一画素内の画素電極間に駆動電圧を印加すると、駆動電圧を印加しない状態では画素電極面に略垂直な状態であった液晶分子が、画素電極面に略平行になるように向きを変える。このとき、画素電極面に略垂直な状態であった液晶分子は、駆動電圧を印加された二つの画素電極間の方に倒れるようにして向きを変えるため、画素電極の間の隙間が配向規制手段として機能する。
【００４２】
本発明による電子機器は、前記請求項のいずれか１項に記載の液晶装置を備えることを特徴とする。
【００４３】
本発明に係る電子機器によれば、配向規制手段によって液晶の配向方向を規制して視野角を広げるとともに、各色毎に配向方向を個別に設定することで、広がった視野角の中で、適切な色バランスを実現することができる液晶装置を備えることで、広い視野角で色バランスがとれた好適な電子機器を実現することができる。
【図面の簡単な説明】
【００４４】
【図１】本発明に係る液晶表示装置の分解斜視図。
【図２】図１におけるＡ−Ａ線に従った液晶表示装置の断面の断面図。
【図３】（ａ）カラーフィルタの平面構造を示す模式図。（ｂ）複数の第２基板が形成されたマザー基板の平面構造を示す模式図。
【図４】（ａ）４色フィルタの色要素の配列例を示す平面図。（ｂ），（ｃ）６色フィルタの色要素の配列例を示す平面図。
【図５】液滴吐出ヘッドの外観の概要を示す斜視図。
【図６】（ａ）液滴吐出ヘッドの構造を示す斜視図。（ｂ）液滴吐出ヘッドの吐出ノズル部の詳細構造を示す断面図。
【図７】カラーフィルタ基板の製造工程を示すフローチャート。
【図８】カラーフィルタ基板の製造過程を示す模式断面図。
【図９】液晶表示装置の製造工程を示すフローチャート。
【図１０】第２基板の形成過程を示す模式断面図。
【図１１】液晶層と接する面に突起が形成された液晶パネルの、駆動電圧が印加されていない時の液晶の配向方向を示す液晶パネルの断面図。
【図１２】４色フィルタの１絵素における突起の延在方向を示す平面図。
【図１３】６色フィルタの１絵素における突起の延在方向を示す平面図。
【図１４】６色フィルタの１絵素における突起の延在方向を示す平面図。
【図１５】６色フィルタの１絵素における突起の延在方向を示す平面図。
【図１６】（ａ）液晶層と接する面に凹部が形成された液晶パネルにおいて、駆動電圧が印加されていない時の液晶の配向方向を示す液晶パネルの断面図。（ｂ）の液晶層と接する面の一方に突起が形成され、液晶層と接する他方の面に凹部が形成された液晶パネルの、駆動電圧が印加されていない時の液晶の配向方向を示す液晶パネルの断面図。
【図１７】電子機器の一例である大型液晶テレビを示す外観斜視図。
【発明を実施するための形態】
【００４５】
以下、本発明に係る液晶装置の一例である液晶表示装置及び液晶表示装置を備えた電子機器の一実施形態について図面を参照して、説明する。液晶表示装置は、垂直配向用の配向膜が設けられるカラーフィルタ基板、このカラーフィルタ基板を用いたＭＶＡ（Multi‐domain Vertical Alignment）方式の液晶表示装置を例に説明する。なお、以下の説明に用いる図面は、各部材及び各層を認識可能な大きさとするために、各部材及び各層の縮尺を適宜変更している。
【００４６】
（第１の実施形態）
最初に、液晶表示装置の構成について説明する。図１は、本発明に係る液晶表示装置の分解斜視図であり、図２は、図１におけるＡ−Ａと表記した線に従った液晶表示装置の断面の断面図である。図１において、液晶表示装置２１は、液晶パネル２２に半導体チップとしての液晶駆動用ＩＣ２３ａ及び２３ｂを実装し、配線接続要素としてのＦＰＣ（Flexible Printed Circuit）２４を液晶パネル２２に接続し、さらに液晶パネル２２の裏面側に照明装置２６をバックライトとして設けることによって形成される。
【００４７】
液晶パネル２２は、第１基板２７ａと第２基板２７ｂとをシール材２８を介して貼り合わせることによって形成される。シール材２８は、例えば、スクリーン印刷等によってエポキシ系樹脂を第１基板２７ａ又は第２基板２７ｂの内側表面に環状に付着させることによって形成される。また、シール材２８の内部には、導電性材料によって球状又は円筒状に形成された導通材２９（図２参照）が分散状態で含まれる。
【００４８】
図２において、第１基板２７ａは透明なガラスや、透明なプラスチック等によって形成された板状の基材３１ａを有する。この基材３１ａの内側表面（図２の上側表面）には反射膜３２が形成され、その上に絶縁膜３３が積層され、その上に第一電極３４ａが矢印Ｄ方向から見てストライプ状（図１参照）に形成され、さらにその上に配向膜３６ａが形成される。また、基材３１ａの外側表面（図２の下側表面）には偏光板３７ａが貼着等によって装着される。
【００４９】
図１では第一電極３４ａの配列を分かり易く示すために、それらのストライプ間隔を実際よりも大幅に広く描いており、よって、第一電極３４ａの本数が少なく描かれているが、実際には、第一電極３４ａは図１に書かれた本数より多数本が基材３１ａ上に形成される。第１基板２７ａが、電極基板又は対向基板に相当する。
【００５０】
図２において、第２基板２７ｂは透明なガラスや、透明なプラスチック等によって形成された板状の基材３１ｂを有する。この基材３１ｂの内側表面（図２の下側表面）にはカラーフィルタ３８が形成され、その上に第二電極３４ｂが上記第一電極３４ａと直交する方向へ矢印Ｄ方向から見てストライプ状（図１参照）に形成され、さらにその上に配向膜３６ｂが形成される。また、基材３１ｂの外側表面（図２の上側表面）には偏光板３７ｂが貼着等によって装着される。
【００５１】
図１では、第二電極３４ｂの配列を分かりやすく示すために、第一電極３４ａの場合と同様に、それらのストライプ間隔を実際よりも大幅に広く描いており、よって、第二電極３４ｂの本数が少なく描かれているが、実際には、第二電極３４ｂは図１に書かれた本数より多数本が基材３１ｂ上に形成される。第２基板２７ｂが、対向基板又は電極基板に相当する。
【００５２】
図２において、第１基板２７ａ、第２基板２７ｂ及びシール材２８によって囲まれる間隙、いわゆるセルギャップ内には液晶Ｌが封入されている。第１基板２７ａ又は第２基板２７ｂの内側表面には微小で球形のスペーサ３９が多数分散され、これらのスペーサ３９がセルギャップ内に存在することによりそのセルギャップの厚さが均一に維持される。
【００５３】
第一電極３４ａと第二電極３４ｂとは互いに直交関係に配置され、それらの交差点は図２の矢印Ｄ方向から見てドット・マトリクス状に配列する。そして、そのドット・マトリクス状の各交差点が１つの画素ピクセルを構成する。カラーフィルタ３８は、１つの画素ピクセルに１つの色要素５３（図３参照）が重なるように色要素領域（図３参照）が形成されている。例えば三原色のカラーフィルタは、Ｒ（赤色）、Ｇ（緑色）、Ｂ（青色）の各色を矢印Ｄ方向から見て所定のパターン、例えば、ストライプ配列、デルタ配列、モザイク配列等のパターンで配列させることによって形成されている。上記の１つの画素ピクセルはそれらＲ，Ｇ，又はＢの色要素５３の１つずつに対応している。そしてＲ，Ｇ，Ｂ３色の各１画素ピクセルから成る３画素ピクセルが１つのユニットになって画像を構成する最小単位（以降、「絵素」と表記する。）が構成される。
【００５４】
ドット・マトリクス状に配列される複数の画素ピクセル、従って絵素、を選択的に発光させることにより、液晶パネル２２の第２基板２７ｂの外側に文字、数字等といった像が表示される。このようにして像が表示される領域が有効画素領域であり、図１及び図２において矢印Ｖによって示される平面的な矩形領域が有効表示領域となっている。
【００５５】
図２において、反射膜３２はＡＰＣ合金、Ａｌ（アルミニウム）等といった光反射性材料によって形成され、第一電極３４ａと第二電極３４ｂとの交差点である各画素ピクセルに対応する位置に開口４１が形成されている。結果的に、開口４１は図２の矢印Ｄ方向から見て、画素ピクセルと同じドット・マトリクス状に配列されている。
【００５６】
第一電極３４ａ及び第二電極３４ｂは、例えば、ＩＴＯ（Indium Tin Oxide）やＩＺＯ（Indium Zinc Oxide）などの導電性材料からなり、適度な電気抵抗と透明性とを有するように成膜されている。膜厚はおよそ０．１μｍである。また、配向膜３６ａ及び３６ｂは、ポリイミド系樹脂を一様な厚さの膜状に付着させることによって形成される。ＭＶＡ方式の液晶表示装置においては、これらの配向膜３６ａ及び３６ｂによって、第一電極３４ａと第二電極３４ｂ間に電圧が印加されていない状態では、液晶Ｌの液晶分子Ｌａ（図１１参照）は、配向膜３６ａ又は配向膜３６ｂに略垂直に配向する。即ち、第１基板２７ａ及び第２基板２７ｂの表面に対して略垂直に配向する。
【００５７】
図１において、第１基板２７ａは第２基板２７ｂよりも広い面積に形成されており、これらの基板をシール材２８によって貼り合わせたとき、第１基板２７ａは第２基板２７ｂの外側へ張り出す基板張出し部２７ｃを有する。そして、この基板張出し部２７ｃには、第一電極３４ａから延び出る引出し配線３４ｃ、シール材２８の内部に存在する導通材２９（図２参照）を介して第２基板２７ｂ上の第二電極３４ｂと導通する引出し配線３４ｄ、液晶駆動用ＩＣ２３ａの入力用バンプ、すなわち入力用端子に接続される金属配線３４ｅ、そして液晶駆動用ＩＣ２３ｂの入力用バンプに接続される金属配線３４ｆ等といった各種の配線が適切なパターンで形成される。
【００５８】
本実施形態では、第一電極３４ａから延びる引出し配線３４ｃ及び第二電極３４ｂに導通する引出し配線３４ｄはそれらの電極と同じ材料であるＩＴＯ、すなわち導電性酸化物によって形成される。また、液晶駆動用ＩＣ２３ａ及び２３ｂの入力側の配線である金属配線３４ｅ及び３４ｆは電気抵抗値の低い金属材料、例えばＡＰＣ合金によって形成される。ＡＰＣ合金は、主としてＡｇを含み、付随してＰｄ及びＣｕを含む合金、例えば、Ａｇ９８％、Ｐｄ１％、Ｃｕ１％から成る合金である。
【００５９】
液晶駆動用ＩＣ２３ａ及び液晶駆動用ＩＣ２３ｂは、ＡＣＦ（Anisotropic Conductive Film：異方性導電膜）４２によって基板張出し部２７ｃの表面に接着されて実装されている。すなわち、本実施形態では基板上に半導体チップが直接に実装される構造の、いわゆるＣＯＧ（Chip On Glass）方式の液晶パネルとして形成されている。このＣＯＧ方式の実装構造においては、ＡＣＦ４２の内部に含まれる導電粒子によって、液晶駆動用ＩＣ２３ａ及び２３ｂの入力側バンプと金属配線３４ｅ及び３４ｆとが導電接続され、液晶駆動用ＩＣ２３ａ及び２３ｂの出力側バンプと引出し配線３４ｃ及び３４ｄとが導電接続される。
【００６０】
図１において、ＦＰＣ２４は、可撓性の樹脂フィルム４３と、チップ部品４４を含んで構成された回路４６と、金属配線端子４７ａとを有する。回路４６は樹脂フィルム４３の表面に半田付けその他の導電接続手法によって直接に搭載される。また、金属配線端子４７ａはＡＰＣ合金、Ｃｒ、Ｃｕその他の導電材料によって形成される。ＦＰＣ２４のうち金属配線端子４７ａが形成された部分は、第１基板２７ａのうち金属配線３４ｅ及び金属配線３４ｆが形成された部分にＡＣＦ４２によって接続される。そして、ＡＣＦ４２の内部に含まれる導電粒子の働きにより、基板側の金属配線３４ｅ及び３４ｆとＦＰＣ２４側の金属配線端子４７ａとが導通する。
【００６１】
ＦＰＣ２４の反対側の辺端部には外部接続端子４７ｂが形成され、この外部接続端子４７ｂが図示しない外部回路に接続される。そして、この外部回路から伝送される信号に基づいて液晶駆動用ＩＣ２３ａ及び２３ｂが駆動され、第一電極３４ａ及び第二電極３４ｂの一方に走査信号が供給され、他方にデータ信号が供給される。これにより、有効表示領域Ｖ内に配列されたドット・マトリクス状の画素ピクセルが個々のピクセルごとに電圧制御され、その結果、液晶Ｌの配向が個々の画素ピクセルごとに制御される。
【００６２】
図１において、いわゆるバックライトとして機能する照明装置２６は、図２に示すように、アクリル樹脂等によって構成された導光体１２と、その導光体１２の光出射面１２ｂに設けられた拡散シート１９と、導光体１２の光出射面１２ｂの反対面に設けられた反射シート１４と、発光源としてのＬＥＤ（Light Emitting Diode）１６とを有する。
【００６３】
ＬＥＤ１６はＬＥＤ基板１７に支持され、そのＬＥＤ基板１７は、例えば導光体１２と一体に形成された支持部（図示せず）に装着される。ＬＥＤ基板１７が支持部の所定位置に装着されることにより、ＬＥＤ１６が導光体１２の側辺端面である光取込み面１２ａに対向する位置に置かれる。なお、符号１８は液晶パネル２２に加わる衝撃を緩衝するための緩衝材を示している。
【００６４】
ＬＥＤ１６が発光すると、その光は光取込み面１２ａから取り込まれて導光体１２の内部へ導かれ、反射シート１４や導光体１２の壁面で反射しながら伝播する間に光出射面１２ｂから拡散シート１９を通して外部へ平面光として出射する。
【００６５】
本実施形態の液晶表示装置２１は以上のように構成されているので、太陽光、室内光等といった外部光が十分に明るい場合には、図２において、第２基板２７ｂ側から外部光が液晶パネル２２の内部へ取り込まれ、その光が液晶Ｌを通過した後に反射膜３２で反射して再び液晶Ｌへ供給される。液晶Ｌはこれを挟持する第一電極３４ａ及び第二電極３４ｂ間に印加する電圧によって画素ピクセルごとに配向制御されており、これによって、液晶Ｌへ供給された光は画素ピクセルごとに透過率が制御される。１絵素を構成するＲ，Ｇ，Ｂの各画素ピクセルの明るさによって、液晶パネル２２の外部から視認される絵素の色が形成され、当該絵素の組み合わせで、液晶パネル２２の外部に文字、数字等といった像が表示される。これにより、反射型の表示が行われる。
【００６６】
他方、外部光の光量が十分に得られない場合には、ＬＥＤ１６が発光して導光体１２の光出射面１２ｂから平面光が出射され、その光が反射膜３２に形成された開口４１を通して液晶Ｌへ供給される。このとき、反射型の表示と同様にして、供給された光が配向制御される液晶Ｌによって画素ピクセルごとにそれぞれの透過率で透過し、これにより、外部へ像が表示される。これにより、透過型の表示が行われる。
【００６７】
次に、第２基板２７ｂに形成されているカラーフィルタ３８などのカラーフィルタの構成について説明する。図３（ａ）はカラーフィルタの一実施形態の平面構造を模式的に示している。また、図３（ｂ）は、複数の第２基板が形成されたマザー基板の平面構造を模式的に示している。
【００６８】
カラーフィルタ５０は、ガラス、プラスチック等の方形状の基板の表面に複数の色要素領域５２（図４、図８（ｅ）参照）をドットパターン状、本実施形態ではドット・マトリクス状に形成し、当該色要素領域５２に色要素５３を形成し、さらにその上に保護膜を積層することによって形成されている。なお、図３（ａ）は保護膜を取り除いた状態のカラーフィルタ５０を平面的に示している。
【００６９】
上記カラーフィルタ５０が形成された方形状のカラーフィルタ基板１０は、例えば、図３（ｂ）に示すような大面積のマザー基板１から切り出される。より詳細には、まず、マザー基板１内に設定された複数のカラーフィルタ形成領域１１のそれぞれの表面にカラーフィルタ５０の１個分のパターンを形成し、さらにそれらのカラーフィルタ形成領域１１の周りに切断用の溝を形成する。さらに、それらの溝に沿ってマザー基板１を切断することにより、カラーフィルタ５０が形成された方形状のカラーフィルタ基板１０が形成される。
【００７０】
次に、色要素の配列について説明する。色要素５３は、透光性のない樹脂材料によって格子状のパターンに形成された隔壁５６によって区画されてドット・マトリクス状に並んだ複数の例えば方形状の色要素領域５２を色材で埋めることによって形成される。図４は、色要素の配列例を示す平面図である。図４（ａ）は、４色フィルタの配列例を、図４（ｂ），（ｃ）は、６色フィルタの配列例を示している。この配列としては、例えば、ストライプ配列、モザイク配列、デルタ配列等が知られている。ストライプ配列は、マトリクスの縦列が全て同色の色要素５３になる配列である。モザイク配列は、横方向の各行ごとに色要素５３一つ分だけ色をずらした配列で、３色フィルタの場合、縦横の直線上に並んだ任意の３つの色要素５３が３色となる配列である。そして、デルタ配列は、色要素５３の配置を段違いにし、３色フィルタの場合、任意の隣接する３つの色要素５３が異なる色となる配色である。
【００７１】
図４（ａ）に示した４色フィルタにおいて、色要素５３は、それぞれが、Ｒ（赤色）、Ｇ（緑色）、Ｂ（青色）、Ｗ（無色透明）のうちのいずれか１色の色材によって形成されている。隣あって形成されたＲ（赤色）、Ｇ（緑色）、Ｂ（青色）、Ｗ（無色透明）の色要素５３Ｒ，５３Ｇ，５３Ｂ，５３Ｗを各１個づつ含む色要素５３の組で、画像を構成する最小単位である絵素のフィルタ（以降、「絵素フィルタ」と表記する。）を形成している。１絵素フィルタ内の色要素５３Ｒ，５３Ｇ，５３Ｂ，５３Ｗのいずれか１つ又はそれらの組み合わせに光を選択的に通過させることにより、フルカラー表示を行う。このとき、透光性のない樹脂材料によって形成された隔壁５６はブラックマトリクスとして作用する。図４（ａ）に示した４色フィルタにおいては、それらの絵素フィルタ５４がストライプ配列で配列されている。
【００７２】
図４（ｂ）に示した６色フィルタにおいて、色要素５３は、それぞれが、Ｒ（赤色）、Ｇ（緑色）、Ｂ（青色）、Ｃ（シアン又は青緑色）、Ｍ（マゼンダ又は紫赤色）、Ｙ（イエロー又は黄色）のうちのいずれか１色の色材によって形成されている。隣あって形成されたＲ（赤色）、Ｇ（緑色）、Ｂ（青色）、Ｃ（シアン）、Ｍ（マゼンダ）、Ｙ（イエロー）の色要素５３Ｒ，５３Ｇ，５３Ｂ，５３Ｃ，５３Ｍ，５３Ｙを各１個づつ含む色要素５３の組で、一つの絵素に対応する絵素フィルタ５７を形成している。光の三原色であるＲ（赤色）、Ｇ（緑色）、Ｂ（青色）が横（図４に示したＸ方向）一列に配置されており、Ｒ（赤色）、Ｇ（緑色）、Ｂ（青色）の補色であるＣ（シアン）、Ｍ（マゼンダ）、Ｙ（イエロー）がそれぞれ補色の関係にある色と隣接するように配置されている。１絵素フィルタ内の色要素５３Ｒ，５３Ｇ，５３Ｂ，５３Ｃ，５３Ｍ，５３Ｙのいずれか１つ又はそれらの組み合わせに光を選択的に通過させることにより、フルカラー表示を行う。図４（ｂ）に示した６色フィルタにおいては、それらの絵素フィルタ５７がストライプ配列されている。図４（ｃ）に示した６色フィルタにおいては、それらの絵素フィルタ５７が、モザイク配列で配列されている。
【００７３】
図４（ｂ）又は（ｃ）に示した６色フィルタにおいて、光の三原色であるＲ（赤色）、Ｇ（緑色）、Ｂ（青色）の補色であるＣ（シアン）、Ｍ（マゼンダ）、Ｙ（イエロー）の色要素５３Ｃ，５３Ｍ，５３Ｙの面積は、Ｒ（赤色）、Ｇ（緑色）、Ｂ（青色）の色要素５３Ｒ，５３Ｇ，５３Ｂの面積より小さくなっている。これは、色要素によって同じ光源であっても出力光の明るさが異なることを、色要素５３の面積で補正するためである。１個の色要素５３の大きさは、例えば、３０μｍ×１００μｍ、又は３０μｍ×６０μｍと３０μｍ×２０μｍである。また、色要素５３の間の間隔、いわゆるエレメント間ピッチは、例えば、４５μｍである。
【００７４】
次に、上記カラーフィルタ５０などのカラーフィルタの形成に用いられる液滴吐出法について説明する。液滴吐出法の吐出技術としては、帯電制御方式、加圧振動方式、電気機械変換方式、電気熱変換方式、静電吸引方式等が挙げられる。帯電制御方式は、材料に帯電電極で電荷を付与し、偏向電極で材料の飛翔方向を制御して吐出ノズルから吐出させるものである。また、加圧振動方式は、材料に３０ｋｇ／ｃｍ2程度の超高圧を印加して吐出ノズル先端側に材料を吐出させるものであり、制御電圧をかけない場合には材料が直進して吐出ノズルから吐出され、制御電圧をかけると材料間に静電的な反発が起こり、材料が飛散して吐出ノズルから吐出されない。また、電気機械変換方式は、ピエゾ素子（圧電素子）がパルス的な電気信号を受けて変形する性質を利用したもので、ピエゾ素子が変形することによって材料を貯留した空間に可撓物質を介して圧力を与え、この空間から材料を押し出して吐出ノズルから吐出させるものである。
【００７５】
また、電気熱変換方式は、材料を貯留した空間内に設けたヒータにより、材料を急激に気化させてバブル（泡）を発生させ、バブルの圧力によって空間内の材料を吐出させるものである。静電吸引方式は、材料を貯留した空間内に微小圧力を加え、吐出ノズルに材料のメニスカスを形成し、この状態で静電引力を加えてから材料を引き出すものである。また、この他に、電場による流体の粘性変化を利用する方式や、放電火花で飛ばす方式などの技術も適用可能である。液滴吐出法は、材料の使用に無駄が少なく、しかも所望の位置に所望の量の材料を的確に配置できるという利点を有する。このうち、ピエゾ方式は、液状材料に熱を加えないため、材料の組成等に影響を与えないなどの利点を有する。本実施形態では、液状材料選択の自由度の高さ、及び液滴の制御性の良さの点から上記ピエゾ方式を用いる。
【００７６】
次に、本発明に係るデバイスを液滴吐出法によって製造する際に用いられるデバイス製造装置の液滴吐出ヘッドについて説明する。このデバイス製造装置は、液滴吐出ヘッドから基板に対して液滴を吐出（滴下）することによりデバイスを製造する液滴吐出装置（インクジェット装置）である。図５は、液滴吐出ヘッドの外観の概要を示す図である。図５（ａ）は、液滴吐出ヘッドの外観の概要を示す斜視図であり、図５（ｂ）は、ノズルの配列を示す図である。図５（ａ）に示すように、液滴吐出ヘッド６２は、例えば、複数の吐出ノズル６７が配列されてなるノズル列６８を有する。吐出ノズル６７の数は例えば１８０であり、吐出ノズル６７の孔径は例えば２８μｍであり、吐出ノズル６７のピッチは例えば１４１μｍである（図５（ｂ）参照）。図５（ａ）に示す基準方向Ｓは、基板上の任意の位置に液滴を着弾させるために液滴吐出ヘッド６２が基板に対して相対移動する際の主走査方向を示し、配列方向Ｔはノズル列６８における吐出ノズル６７の配列方向を示している。
【００７７】
図６（ａ）は、液滴吐出ヘッドの構造を示す斜視図であり、図６（ｂ）は、液滴吐出ヘッドの吐出ノズル部の詳細構造を示す断面図である。図６（ａ）及び（ｂ）に示すように、それぞれの液滴吐出ヘッド６２は、振動板７３と、ノズルプレート７４とを、備えている。振動板７３と、ノズルプレート７４との間には、液状材料タンク（図示省略）から孔７７を介して供給される材料液が常に充填される液たまり７５が位置している。また、振動板７３と、ノズルプレート７４との間には、複数のヘッド隔壁７１が位置している。そして、振動板７３と、ノズルプレート７４と、１対のヘッド隔壁７１とによって囲まれた空間がキャビティ７０である。キャビティ７０は吐出ノズル６７に対応して設けられているため、キャビティ７０の数と吐出ノズル６７の数とは同じである。キャビティ７０には、１対のヘッド隔壁７１間に位置する供給口７６を介して、液たまり７５から材料液が供給される。
【００７８】
振動板７３上には、それぞれのキャビティ７０に対応して、振動子７２が位置する。振動子７２は、ピエゾ素子７２ｃと、ピエゾ素子７２ｃを挟む１対の電極７２ａ、７２ｂとから成る。この１対の電極７２ａ、７２ｂに駆動電圧を与えることで、対応する吐出ノズル６７から液状材料が液滴となって吐出される。吐出ノズル６７から吐出される液状材料の一部がノズルプレート７４に付着することを抑制するために、ノズルプレート７４の外面は、液状材料に対して撥液性を有する撥液処理層２Ｐが形成されている。
【００７９】
制御装置（図示省略）は、ピエゾ素子７２ｃへの印加電圧の制御、すなわち駆動信号を制御することにより、複数の吐出ノズル６７のそれぞれに対して、液状材料の吐出制御を行う。より詳細には、吐出ノズル６７から吐出される液滴の体積や、単位時間あたりに吐出する液滴の数、基板上に着弾した液滴同士の距離などを変化させることができる。例えば、ノズル列６８に並ぶ複数の吐出ノズル６７の中から、液滴を吐出させる吐出ノズル６７を選択的に使用することにより、配列方向Ｔの方向では、ノズル列６８の長さの範囲であって吐出ノズル６７のピッチ間隔で、複数の液滴を同時に吐出することができる。基準方向Ｓの方向では、基板上に着弾した液滴同士の距離を、当該液滴を吐出する吐出ノズル６７ごとに個別に変化させることができる。なお、吐出ノズル６７のそれぞれから吐出される液滴の体積は、１ｐｌ〜３００ｐｌ（ピコリットル）の間で可変である。
【００８０】
＜カラーフィルタ基板の製造方法＞
次に、カラーフィルタ基板の製造工程について図７および図８を参照して説明する。図７はカラーフィルタ基板の製造工程を示すフローチャートであり、図８（ａ）〜（ｇ）はカラーフィルタ基板の製造過程を示す模式断面図である。
【００８１】
図７に示したように、本実施形態のカラーフィルタ基板１０の製造方法は、ガラス基板８１（マザー基板１：図３参照）の表面が撥液性を有するように表面処理する撥液化処理工程（ステップＳ１）と、隔壁５６を形成する領域に対応するガラス基板８１の撥液化処理された表面が親液性を有するように表面処理する親液化処理工程（ステップＳ２）とを備えている。また、ガラス基板８１上に複数の色要素領域５２を区画するように隔壁部を形成する工程（ステップＳ３）と、複数の色要素領域５２に異なる色要素形成材料を含む機能液を吐出して複数種の色要素５３を形成する色要素形成工程（ステップＳ６）を備えている。
【００８２】
図７のステップＳ１は、撥液化処理工程である。ステップＳ１では、図８（ａ）に示すように、ガラス基板８１の表面に薄膜８６を形成して撥液性を付与する。薄膜８６の形成方法としては、撥液性を有する材料としてＦＡＳ（フッ化アルキルシラン）またはＨＭＤＳ（ヘキサメチルジシラン）を用いて、ほぼ単分子膜からなる薄膜８６を形成する。より詳細には、ガラス基板８１の表面に自己組織化膜を形成する方法等を採用できる。
【００８３】
自己組織膜形成法では、ガラス基板８１の表面に、有機分子膜などからなる自己組織化膜を形成する。有機分子膜は、ガラス基板８１に結合可能な官能基と、その反対側に表面性を改質する（表面エネルギーを制御する）撥液基としての官能基と、これらの官能基を結ぶ炭素の直鎖あるいは一部分岐した炭素鎖とを備えており、ガラス基板８１に結合して自己組織化して分子膜、例えば単分子膜を形成する。
【００８４】
ここで、自己組織化膜とは、ガラス基板８１の下地層等の構成原子と反応可能な結合性官能基とそれ以外の直鎖分子とからなり、直鎖分子の相互作用により極めて高い配向性を有する化合物を、配向させて形成された膜である。この自己組織化膜は、単分子を配向させて形成されているので、極めて膜厚を薄くすることができ、しかも、分子レベルで均一な膜となる。すなわち、膜の表面に同じ分子が位置するため、膜の表面に均一でしかも優れた撥液性を付与することができる。
【００８５】
上記の高い配向性を有する化合物として、例えばフルオロアルキルシランを用いることにより、膜の表面にフルオロアルキル基が位置するように各化合物が配向されて自己組織化膜が形成され、膜の表面に均一な撥液性が付与される。自己組織化膜を形成する化合物としては、ヘプタデカフルオロ−１，１，２，２テトラヒドロデシルトリエトキシシラン、ヘプタデカフルオロ−１，１，２，２テトラヒドロデシルトリメトキシシラン、ヘプタデカフルオロ−１，１，２，２テトラヒドロデシルトリクロロシラン、トリデカフルオロ−１，１，２，２テトラヒドロオクチルトリエトキシシラン、トリデカフルオロ−１，１，２，２テトラヒドロオクチルトリメトキシシラン、トリデカフルオロ−１，１，２，２テトラヒドロオクチルトリクロロシラン、トリフルオロプロピルトリメトキシシラン等のフルオロアルキルシラン（以下、「ＦＡＳ」と表記する。）を例示できる。これらの化合物は、単独で使用してもよく、２種以上を組み合わせて使用してもよい。なお、ＦＡＳを用いることにより、ガラス基板８１との密着性と良好な撥液性とを得ることができる。
【００８６】
ＦＡＳは、一般的に構造式ＲｎＳｉＸ（４−ｎ）で表される。ここでｎは１以上３以下の整数を表し、Ｘはメトキシ基、エトキシ基、ハロゲン原子などの加水分解基である。またＲはフルオロアルキル基であり、（ＣＦ３）（ＣＦ２）ｘ（ＣＨ２）ｙの（ここでｘは０以上１０以下の整数を、ｙは０以上４以下の整数を表す）構造を持ち、複数個のＲ又はＸがＳｉに結合している場合には、Ｒ又はＸはそれぞれすべて同じでもよく、異なっていてもよい。Ｘで表される加水分解基は加水分解によりシラノールを形成して、ガラス基板８１の下地のヒドロキシル基と反応してシロキサン結合でガラス基板８１と結合する。一方、Ｒは表面に（ＣＦ２）等のフルオロ基を有するため、ガラス基板８１の下地表面を濡れ難い（表面エネルギーが低い）表面に改質する。
【００８７】
有機分子膜などからなる自己組織化膜は、上記の原料化合物とガラス基板８１とを同一の密閉容器中に入れておき、室温で２〜３日程度の間放置することによりガラス基板８１上に形成される。また、密閉容器全体を１００℃に保持することにより、３時間程度でガラス基板８１上に形成される。これらは気相からの形成法であるが、液相からも自己組織化膜を形成できる。例えば、原料化合物を含む溶液中にガラス基板８１を浸積し、洗浄、乾燥することでガラス基板８１上に自己組織化膜が形成される。なお、自己組織化膜を形成する前に、ガラス基板８１表面に紫外光を照射したり、溶媒により洗浄したりして、ガラス基板８１表面の前処理を施すことが望ましい。
【００８８】
図７のステップＳ２は、親液化処理工程である。ステップＳ２では、図８（ｂ）に示すように、撥液化処理された表面８６ａにレーザ光を照射して親液性を付与する。レーザ光が照射された部位では、シロキサン結合が切れて水酸基と結合した状態となり、親液性が付与される。この場合、レーザ照射する範囲は、図８（ｃ）に示すように、隔壁５６を形成する領域８６ｂである。
【００８９】
なお、照射するレーザ光としては、発熱を生じさせる波長帯域を有するものが望ましく、例えば、赤外域（０．７〜１０μｍ）に波長帯域を有するものが好適である。このようなレーザ光源として、例えば、Ｎｄ：ＹＡＧレーザ（１．０６４μｍ）、ＣＯ２レーザ（１０．６μｍ）などを用いることができる。そして、これらのレーザ光源と少なくともＸ，Ｙ方向に移動可能なテーブルとを備えたレーザ照射装置により、テーブルにガラス基板８１を載置して領域８６ｂを描画するようにレーザ光を照射して親液化処理を行う。
【００９０】
また、ＦＡＳなどからなる薄膜８６を親液化処理する方法としては、親液化する領域８６ｂ以外をマスクで覆い、ＵＶ（紫外光）を照射する方法も採用することができる。
【００９１】
図７のステップＳ３は、隔壁部形成工程である。ステップＳ３では、図８（ｄ）に示すように、上述した液滴吐出ヘッド６２（図５及び図６参照）を用い、隔壁５６を形成する。上述したように液滴吐出ヘッド６２は、液状体を液滴としてノズルから吐出可能であり、液状体として隔壁部形成材料を含む機能液５６ａを吐出して隔壁５６を形成する。
【００９２】
より具体的には、隔壁５６を形成する領域８６ｂに順次液滴吐出ヘッド６２が対向するように位置決めし、機能液５６ａを液滴として吐出し着弾させて濡れ広げる。そして、これを乾燥させる工程を繰り返すことにより堆積させ隔壁５６を形成する。この場合、隔壁５６の高さは、例えば、およそ１．５μｍである。なお、機能液５６ａとしては、隔壁形成材料としてフェノール系樹脂等を含んだ溶液を用いることができる。
【００９３】
次に、ステップＳ４では、形成した隔壁５６を焼成処理する。次に、ステップＳ５では、図８（ｅ）に示すように、隔壁５６が形成されたガラス基板８１に残存する薄膜８６を除去する工程を行う。薄膜８６は、ＦＡＳなどからなる単分子膜であり、およそ３００℃にガラス基板８１を加熱することにより昇華させて除去することが可能である。また、除去後のガラス基板８１の表面８１ａを親液化処理することも可能である。なお、加熱以外の薄膜８６の除去方法としては、ＵＶ照射やＯ２プラズマ処理等を採用することができる。ガラス基板８１全体を加熱することで、ステップＳ４とステップＳ５とを同時に実行することもできる。
【００９４】
図７のステップＳ６は、色要素形成工程である。ステップＳ６では、図８（ｆ）に示すように、隔壁５６によって形成された複数の色要素領域５２のそれぞれに色要素形成材料を含む機能液５３ａを液滴吐出ヘッド６２から液滴として吐出し乾燥することによって、色要素５３を形成する。この場合、乾燥後の色要素５３の膜厚が隔壁５６の高さ（およそ１．５μｍ）とほぼ同じになるように機能液５３ａの吐出回数を各色要素領域ごとに調整して吐出する。勿論、異なる色の各色要素５３が形成される各色要素領域５２に対して異なる色要素材料を含む機能液５３ａ吐出する。例えば、上述した６色フィルタ（図４（ｂ），（ｃ）参照）であれば、異なる色の各色要素５３Ｒ，５３Ｇ，５３Ｂ，５３Ｃ，５３Ｍ，５３Ｙが形成される各色要素領域５２に対応して異なる色要素材料を含む６種の機能液５３ａを液滴吐出ヘッド６２に順次充填して吐出する。あるいは、複数の液滴吐出ヘッド６２を用意し、それぞれに異なる色要素材料を含む機能液５３ａを充填して吐出してもよい。
【００９５】
次に、ステップＳ７では、色要素領域５２に向けて吐出され、色要素領域５２内に配置された機能液５３ａを、乾燥若しくは低温（例えば６０℃）での焼成によるプレベーク（仮焼成）を行うことによって、仮固化若しくは仮硬化する。
【００９６】
次に、ステップＳ８では、色要素の全色について機能液５３ａの吐出及び仮焼成が終了したか否かを判定する。色要素の全色について機能液５３ａの吐出及び仮焼成が終了していない場合（ステップＳ８でＮＯ）には、ステップＳ６に戻り、機能液５３ａの色要素領域５２に向けての吐出（ステップＳ６）、及び色要素領域５２内に配置された機能液５３ａの仮焼成（ステップＳ７）を繰り返して実行する。全色について機能液５３ａの吐出及び仮焼成が終了していた場合（ステップＳ８でＹＥＳ）には、ステップＳ９に進む。なお、１色の色要素毎に個別に、機能液５３ａの色要素領域５２に向けての吐出（ステップＳ６）、及び色要素領域５２内に配置された機能液５３ａの仮焼成（ステップＳ７）を実行してもよいし、最初に全色について機能液５３ａの色要素領域５２に向けての吐出（ステップＳ６）を実行し、次に色要素５３の仮焼成（ステップＳ７）を全色について一度に実行してもよい。
【００９７】
次に、ステップＳ９では、上記のようにして構成されたカラーフィルタ基板１０を検査し、不良の有無を判定する。この検査は、例えば、肉眼若しくは顕微鏡等で、上記隔壁５６及び色要素５３を観察する。この場合、カラーフィルタ基板１０を撮影し、その撮影画像に基づいて自動的に検査を行ってもよい。ここで、色要素５３の欠陥とは、色要素５３が欠如している場合（いわゆるドット抜け）、色要素５３が形成されているが、色要素領域５２内に配置された機能液５３ａの量（体積）が多すぎたり少なすぎたりして不適切である場合、色要素５３が形成されているが、塵埃等の異物が混入していたり付着していたりする場合などである。
【００９８】
この検査によって、色要素５３に欠陥が見つかった場合（ステップＳ９でＮＯ）には、そのカラーフィルタ基板１０を別工程の基体再生工程に移行させ、カラーフィルタ基板の製造工程を終了する。
【００９９】
上記検査において表示素材に欠陥が発見されなかった場合（ステップＳ９でＹＥＳ）には、ステップＳ１０に進む。ステップＳ１０では、仮焼成された色要素５３をベーク（焼成）処理して、色要素５３を完全に固化若しくは硬化させる。例えば、２００℃程度の温度で焼成処理を行い、カラーフィルタ基板１０の各色要素５３Ｒ，５３Ｇ，５３Ｂ，５３Ｃ，５３Ｍ，５３Ｙを完全に固化若しくは硬化させる。この焼成処理の温度は機能液５３ａの組成等によって適宜に決定できる。また、特に高温に加熱することなく、単に通常とは異なる雰囲気（窒素ガス中や乾燥空気中等）などで乾燥若しくはエージングさせるだけでもよい。最後に、図８（ｇ）に示すように、色要素５３の上に透明な保護層８７を形成し、カラーフィルタ基板の製造工程を終了する。
【０１００】
次に、液晶表示装置の製造工程について説明する。図１及び図２を参照して説明した液晶表示装置２１は、例えば、図９に示す製造工程を実行することによって製造される。図９は、液晶表示装置の製造工程を示すフローチャートである。図９に示した製造工程において、ステップＳ２１からステップＳ２６の一連の工程が第１基板２７ａを形成する工程であり、ステップＳ３１からステップＳ３４の一連の工程が第２基板２７ｂを形成する工程である。第１基板形成工程と第２基板形成工程は、通常、それぞれが独自に行われる。
【０１０１】
まず、第１基板形成工程について説明する。図９のステップＳ２１では、透光性ガラス、透光性プラスチック等によって形成された大面積のマザー原料基材の表面に液晶パネル２２の複数個分の反射膜３２（図２参照）をフォトリソグラフィー法等を用いて形成し、さらにその上に絶縁膜３３（図２参照）を周知の成膜法を用いて形成する。
【０１０２】
次に、ステップＳ２２では、フォトリソグラフィー法や上述した液滴吐出法等を用いて第一電極３４ａ（図１，２参照）及び引出し配線３４ｃ，３４ｄ，金属配線３４ｅ，３４ｆ（図１，２参照）を形成する。
【０１０３】
次に、ステップＳ２３では、フォトリソグラフィー法や上述した液滴吐出法等を用いて配向規制手段として作用する突起８２ａ（図１１参照）を形成する。
【０１０４】
次に、ステップＳ２４では、塗布、印刷等によって、第一電極３４ａ及び突起８２ａの上に配向膜３６ａを形成する。配向膜３６ａによって、電極に電圧が印加されていない状態において、液晶Ｌの液晶分子Ｌａは、配向膜３６ａの面に垂直に配向する。即ち、液晶表示装置２１の表示面に対して垂直な方向に配向する（図１１参照）。
【０１０５】
次に、ステップＳ２５では、例えばスクリーン印刷等によってシール材２８を環状に形成する。次に、ステップＳ２６では、環状に形成されたシール材２８に囲まれた領域に球状のスペーサ３９を分散する。以上により、液晶パネル２２の第１基板２７ａ上のパネルパターンを複数個分有する大面積のマザー第１基板が形成される。
【０１０６】
以上の第１基板形成工程とは別に、第２基板形成工程を実施する。図１０（ａ）〜（ｃ）は、第２基板の形成過程を示す模式断面図である。図９のステップＳ３１では、透光性ガラス、透光性プラスチック等によって形成された大面積のマザー原料基材（マザー基板１：図３参照）を用意し、その表面に液晶パネル２２の複数個分のカラーフィルタ３８を
形成する。このカラーフィルタの形成工程は図７及び図８を参照して説明したカラーフィルタ基板１０の製造工程と同様である。
【０１０７】
ステップＳ３１を実行して、図８（ｆ）に示したようにマザー基板１すなわちマザー原料基材の上にカラーフィルタ５０すなわちカラーフィルタ３８が形成される。次に、ステップＳ３２では、フォトリソグラフィー法などによって、図１０（ａ）に示したような第二電極３４ｂが形成される。
【０１０８】
次に、ステップＳ３３では、フォトリソグラフィー法や上述した液滴吐出法等を用いて、配向規制手段として作用する図１０（ｂ）に示したような突起８２ｂ（図１１参照）を形成する。
【０１０９】
次に、ステップＳ３４では、図１０（ｃ）に示したように、第二電極３４ｂ及び突起８２ｂの上に塗布、印刷等によって配向膜３６ｂを形成する。配向膜３６ａによって、電極に電圧が印加されていない状態において、液晶Ｌは、配向膜３６ａの面に垂直に配向する。即ち、液晶表示装置２１の表示面に対して垂直な方向に配向する。以上により、液晶パネル２２の第２基板２７ｂ上のパネルパターンを複数個分有する大面積のマザー第２基板が形成される。
【０１１０】
大面積のマザー第１基板及びマザー第２基板が形成された後、ステップＳ４１では、マザー第１基板に環状に形成されたシール材２８に囲まれた領域に適量の液晶Ｌを注入する。
【０１１１】
次に、ステップＳ４２では、マザー第１基板とマザー第２基板とをシール材２８を間に挟んでアライメント、すなわち位置合わせした上で互いに貼り合わせる。これにより、液晶パネル複数個分のパネル部分を含むパネル構造体が形成される。ステップＳ４１とステップＳ４２とは、略真空中で実行されることで、マザー第１基板とマザー第２基板との間でシール材２８に囲まれた空間には、空気などが侵入することなく、液晶Ｌのみが充填される。
【０１１２】
次に、ステップＳ４３では、完成したパネル構造体の所定位置にスクライブ溝、すなわち切断用溝を形成し、さらにそのスクライブ溝を基準にしてパネル構造体をブレイク、すなわち分割する。これにより、複数個の液晶パネル２２が個々に切り出される。次に、ステップＳ４４では、個々の液晶パネル２２を洗浄し、ステップＳ４５では、個々の液晶パネル２２に対して図１に示すように、液晶駆動用ＩＣ２３ａ，２３ｂを実装し、照明装置２６をバックライトとして装着し、さらにＦＰＣ２４を接続することにより、目標とする液晶表示装置２１が完成する。
【０１１３】
次に、突起８２ａ及び突起８２ｂによる液晶Ｌの配向方向規制について説明する。図１１は、駆動電圧が印加されていない時の液晶の配向方向を示す液晶パネルの断面図である。上述したように、第１基板２７ａは、基材３１ａ上に、第一電極３４ａ、突起８２ａ、配向膜３６ａが形成されている。なお、反射膜３２及び絶縁膜３３は、液晶の配向には影響しないため、図１１では図示省略した。第２基板２７ｂは、基材３１ｂ上に、隔壁５６と色要素５３が形成されており、隔壁５６と色要素５３との上に第二電極３４ｂ、突起８２ｂ、配向膜３６ｂが形成されている。第１基板２７ａと第２基板２７ｂとは、配向膜３６ａと配向膜３６ｂとが隙間を隔てて対向するように貼り合わされており、配向膜３６ａと配向膜３６ｂとの間の隙間に液晶Ｌが充填されている。
【０１１４】
図１１に示すように、第一電極３４ａと第二電極３４ｂとの間に駆動電圧が印加されていない状態の液晶パネル２２において、液晶Ｌの液晶分子Ｌａは、配向膜３６ａ又は配向膜３６ｂに垂直に配向する。即ち、突起８２ａや突起８２ｂ以外の、配向膜３６ａ又は配向膜３６ｂが平坦な部分では、基材３１ａ及び基材３１ｂの面に垂直に配向する。以下、基材３１ａ及び基材３１ｂの面に垂直な方向を「パネル面垂直方向」と表記し、「パネル面垂直方向」に直角な基材３１ａ及び基材３１ｂの面に平行な方向を「パネル面方向」と表記する。液晶分子Ｌａは、突起８２ａや突起８２ｂの部分では、それぞれの突起の面に対して垂直に配向する。突起８２ａや突起８２ｂの側面などに垂直に配向した液晶分子Ｌａは、パネル面垂直方向に対して傾いて配向している。液晶分子Ｌａがパネル面垂直方向に配向することで、液晶層は光を透過させない。
【０１１５】
第一電極３４ａと第二電極３４ｂとの間に所定の駆動電圧が印加されると、液晶分子Ｌａは、電界の方向に対して略垂直となるように倒れる。液晶分子Ｌａが、略パネル面方向に配向することで、液晶層を光が透過する。印加された電圧が低く電界の強さが弱い場合は、パネル面垂直方向とパネル面方向の間の電界の強さに応じた角度に配向する。この配向角度を調整することで、透過光量を調整し、画素の明るさを調整する。絵素を構成する各画素の明るさを調整することで、絵素の色を形成する。
【０１１６】
第一電極３４ａと第二電極３４ｂとの間に所定の駆動電圧が印加されると、突起８２ａや突起８２ｂの側面などに垂直に配向することでパネル面垂直方向に対して傾いて配向している液晶分子Ｌａは、最初に傾いていた方向に倒れる。傾いて配向していた液晶分子Ｌａに隣接する他の液晶分子Ｌａも影響を受けて同じ方向に倒れる。図１１の領域Ｅ１の範囲の液晶分子Ｌａは同じ方向に倒れ、領域Ｅ２の範囲の液晶分子Ｌａは、領域Ｅ１の範囲の液晶分子Ｌａが倒れた方向とは異なる方向で、同一方向に倒れる。したがって、駆動電圧が印加されたときに、突起８２ａ又は突起８２ｂを境にして駆動電圧が印加されたときに液晶分子Ｌａが倒れる方向が異なる領域が形成される。すなわち、突起８２ａ又は突起８２ｂによって複数に分割され配向方向制御された色要素領域５２では、異なる視角依存性を有することになるため、液晶パネル２２の視角特性はより広視野角となる。突起８２ａまたは突起８２ｂが、配向規制手段に相当する。
【０１１７】
次に、突起８２ａ及び突起８２ｂの延在方向について説明する。図１２は、４色フィルタの１絵素における突起の延在方向を示す平面図である。上述した図１１は、図１２にＢ−Ｂで示した断面の断面図である。
【０１１８】
図１２に示すように、一つの絵素は、対応する色要素５３が光の三原色の赤色、緑色、青色である色要素５３Ｒ（赤色）、色要素５３Ｇ（緑色）、及び色要素５３Ｂ（青色）である画素と、対応する色要素５３が無色透明である色要素５３Ｗである画素とで構成されている。対応する色要素５３が色要素５３Ｒである画素に形成された突起８２ａには、延在方向が異なる突起８２１ａと突起８２２ａの２種類がある。突起８２１ａと突起８２２ａとは、それぞれ長さの異なるものが複数ある。ここで、図１２に示したように、１絵素を構成する４種類の色要素５３である色要素５３Ｒ、色要素５３Ｇ、色要素５３Ｂ、色要素５３Ｗの並び方向をＸ方向と表記する。突起８２１ａは、Ｘ方向に対してθ１度傾いた方向に延在しており、突起８２２ａは、Ｘ方向に対して−θ１度傾いた方向に延在している。同様に、対応する色要素５３が色要素５３Ｒである画素に形成された突起８２ｂには、延在方向が異なる突起８２１ｂと突起８２２ｂの２種類がある。突起８２１ｂは、Ｘ方向に対してθ１度傾いた方向に延在しており、突起８２２ｂは、Ｘ方向に対して−θ１度傾いた方向に延在している。突起８２１ｂと突起８２２ｂとは、それぞれ長さの異なるものが複数ある。突起８２ａ又は突起８２ｂが延在するＸ方向に対してθ１度傾いた方向又はＸ方向に対して−θ１度傾いた方向が、第一の延在方向又は第二の延在方向に相当する。
【０１１９】
対応する色要素５３が１絵素を構成する他の色要素５３であるところの色要素５３Ｇ、色要素５３Ｂ、色要素５３Ｗである画素に形成された突起８２ａも、それぞれの色要素５３毎に、延在方向が異なる突起８２３ａと突起８２４ａ、突起８２５ａと突起８２６ａ、突起８２Ｖａと突起８２Ｗａ、の２種類がある。色要素５３が色要素５３Ｇ、色要素５３Ｂ、色要素５３Ｗである画素に形成された突起８２ｂも、それぞれの色要素５３毎に、延在方向が異なる突起８２３ｂと突起８２４ｂ、突起８２５ｂと突起８２６ｂ、突起８２Ｖｂと突起８２Ｗｂ、の２種類がある。突起８２３ａ、突起８２４ａ、突起８２５ａ、突起８２６ａ、突起８２Ｖａ、突起８２Ｗａは、Ｘ方向に対してそれぞれθ２度、−θ２度、θ３度、−θ３度、θ４度、−θ４度、傾いた方向に延在しており、それぞれ長さの異なるものが複数ある。突起８２３ｂ、突起８２４ｂ、突起８２５ｂ、突起８２６ｂ、突起８２Ｖｂ、突起８２Ｗｂは、Ｘ方向に対してそれぞれθ２度、−θ２度、θ３度、−θ３度、θ４度、−θ４度、傾いた方向に延在しており、それぞれ長さの異なるものが複数ある。１絵素を構成する各色要素５３Ｒ、色要素５３Ｇ、色要素５３Ｂ、色要素５３Ｗを有する画素において、突起８２ａと突起８２ｂとの延在方向は、色要素５３の色に対応してそれぞれ異なっている。突起８２ａ又は突起８２ｂが延在するＸ方向に対してθ２度、θ３度、又はθ４度傾いた方向又はＸ方向に対して−θ２度、−θ３度、又は−θ４度傾いた方向が、第一の延在方向又は第二の延在方向に相当する。
【０１２０】
次に、６色フィルタの突起８２ａ及び突起８２ｂの延在方向の一例について説明する。図１３は、６色フィルタの１絵素における突起の延在方向を示す平面図である。図１３にＣ−Ｃで示した断面における断面形状は、上述した図１１に示した断面図の形状と実質的に同等である。
【０１２１】
図１３に示すように、一つの絵素は、対応する色要素５３が光の三原色である色要素５３Ｒ、色要素５３Ｇ、及び色要素５３Ｂである画素と、対応する色要素５３が光の三原色の補色である色要素５３Ｃ、色要素５３Ｍ、及び色要素５３Ｙである画素とで構成されている。対応する色要素５３が色要素５３Ｒである画素に形成された突起８２ａには、延在方向が異なる突起８２１ａと突起８２２ａの２種類がある。突起８２１ａと突起８２２ａとは、それぞれ長さの異なるものが複数ある。ここで、図１２に示した４色フィルタと同様に、１絵素を構成する６種類の色要素５３の中の３色である色要素５３Ｒ、色要素５３Ｇ、色要素５３Ｂ、又は色要素５３Ｃ、色要素５３Ｍ、色要素５３Ｙの並び方向をＸ方向と表記する。突起８２１ａは、Ｘ方向に対してθ１度傾いた方向に延在しており、突起８２２ａは、Ｘ方向に対して−θ１度傾いた方向に延在している。同様に、対応する色要素５３が色要素５３Ｒである画素に形成された突起８２ｂには、延在方向が異なる突起８２１ｂと突起８２２ｂの２種類がある。突起８２１ｂは、Ｘ方向に対してθ１度傾いた方向に延在しており、突起８２２ｂは、Ｘ方向に対して−θ１度傾いた方向に延在している。突起８２１ｂと突起８２２ｂとは、それぞれ長さの異なるものが複数ある。
【０１２２】
対応する色要素５３が１絵素を構成する他の色要素５３であるところの色要素５３Ｇ、色要素５３Ｂ、色要素５３Ｃ、色要素５３Ｍ、色要素５３Ｙである画素に形成された突起８２ａも、それぞれの色要素５３毎に、延在方向が異なる突起８２３ａと突起８２４ａ、突起８２５ａと突起８２６ａ、突起８２７ａと突起８２８ａ、突起８２９ａと突起８２０ａ、突起８２Ｊａと突起８２Ｋａ、の２種類がある。色要素５３が色要素５３Ｇ、色要素５３Ｂ、色要素５３Ｃ、色要素５３Ｍ、色要素５３Ｙである画素に形成された突起８２ｂも、それぞれの色要素５３毎に、延在方向が異なる突起８２３ｂと突起８２４ｂ、突起８２５ｂと突起８２６ｂ、突起８２７ｂと突起８２８ｂ、突起８２９ｂと突起８２０ｂ、突起８２Ｊｂと突起８２Ｋｂ、の２種類がある。
【０１２３】
突起８２３ａ、突起８２４ａ、突起８２５ａ、突起８２６ａ、突起８２７ａ、突起８２８ａ、突起８２９ａ、突起８２０ａ、突起８２Ｊａ、突起８２Ｋａは、Ｘ方向に対してそれぞれθ２度、−θ２度、θ３度、−θ３度、θ５度、−θ５度、θ６度、−θ６度、θ７度、−θ７度傾いた方向に延在しており、それぞれ長さの異なるものが複数ある。突起８２３ｂ、突起８２４ｂ、突起８２５ｂ、突起８２６ｂ、突起８２７ｂ、突起８２８ｂ、突起８２９ｂ、突起８２０ｂ、突起８２Ｊｂ、突起８２Ｋｂは、Ｘ方向に対してそれぞれθ２度、−θ２度、θ３度、−θ３度、θ５度、−θ５度、θ６度、−θ６度、θ７度、−θ７度傾いた方向に延在しており、それぞれ長さの異なるものが複数ある。１絵素を構成する色要素５３Ｒ、色要素５３Ｇ、色要素５３Ｂ、色要素５３Ｃ、色要素５３Ｍ、色要素５３Ｙを有する画素において、突起８２ａと突起８２ｂとの延在方向は、色要素５３の色に対応してそれぞれ異なっている。突起８２ａ又は突起８２ｂが延在するＸ方向に対してθ１度、θ２度、θ３度、θ５度、θ６度、又はθ７度傾いた方向又はＸ方向に対して−θ１度、−θ２度、−θ３度、−θ５度、−θ６度、又は−θ７度傾いた方向が、第一の延在方向又は第二の延在方向に相当する。
【０１２４】
次に、６色フィルタの突起８２ａ及び突起８２ｂの延在方向の他の一例について説明する。図１４は、６色フィルタの１絵素における突起の延在方向を示す平面図である。図１４にＤ−Ｄで示した断面における断面形状は、上述した図１１に示した断面図の形状と実質的に同等である。
【０１２５】
図１４に示すように、一つの絵素は、対応する色要素５３が光の三原色である色要素５３Ｒ、色要素５３Ｇ、及び色要素５３Ｂである画素と、対応する色要素５３が光の三原色の補色である色要素５３Ｃ、色要素５３Ｍ、及び色要素５３Ｙである画素とで構成されている。対応する色要素５３が色要素５３Ｒ又は色要素５３Ｃである画素に形成された突起８２ａには、延在方向が異なる突起８２１ａと突起８２２ａの２種類がある。ここで、図１２に示した４色フィルタと同様に、１絵素を構成する６種類の色要素５３の中の３色である色要素５３Ｒ、色要素５３Ｇ、色要素５３Ｂ、又は色要素５３Ｃ、色要素５３Ｍ、色要素５３Ｙの並び方向をＸ方向と表記する。突起８２１ａは、Ｘ方向に対してθ１度傾いた方向に延在しており、突起８２２ａは、Ｘ方向に対して−θ１度傾いた方向に延在している。突起８２１ａと突起８２２ａとは、それぞれ長さの異なるものが複数ある。同様に、対応する色要素５３が色要素５３Ｒ又は色要素５３Ｃである画素に形成された突起８２ｂには、延在方向が異なる突起８２１ｂと突起８２２ｂの２種類がある。突起８２１ｂは、Ｘ方向に対してθ１度傾いた方向に延在しており、突起８２２ｂは、Ｘ方向に対して−θ１度傾いた方向に延在している。突起８２１ｂと突起８２２ｂとは、それぞれ長さの異なるものが複数ある。
【０１２６】
対応する色要素５３が色要素５３Ｇ又は色要素５３Ｍである画素に形成された突起８２ａには、延在方向が異なる突起８２３ａと突起８２４ａの２種類がある。突起８２３ａは、Ｘ方向に対してθ２度傾いた方向に延在しており、突起８２４ａは、Ｘ方向に対して−θ２度傾いた方向に延在している。突起８２３ａと突起８２４ａとは、それぞれ長さの異なるものが複数ある。同様に、対応する色要素５３が色要素５３Ｇ又は色要素５３Ｍである画素に形成された突起８２ｂには、延在方向が異なる突起８２３ｂと突起８２４ｂの２種類がある。突起８２３ｂは、Ｘ方向に対してθ２度傾いた方向に延在しており、突起８２４ｂは、Ｘ方向に対して−θ２度傾いた方向に延在している。突起８２３ｂと突起８２４ｂとは、それぞれ長さの異なるものが複数ある。
【０１２７】
対応する色要素５３が色要素５３Ｂ又は色要素５３Ｙである画素に形成された突起８２ａには、延在方向が異なる突起８２５ａと突起８２６ａの２種類がある。突起８２５ａは、Ｘ方向に対してθ３度傾いた方向に延在しており、突起８２６ａは、Ｘ方向に対して−θ３度傾いた方向に延在している。突起８２５ａと突起８２６ａとは、それぞれ長さの異なるものが複数ある。同様に、対応する色要素５３が色要素５３Ｂ又は色要素５３Ｙである画素に形成された突起８２ｂには、延在方向が異なる突起８２５ｂと突起８２６ｂの２種類がある。突起８２５ｂは、Ｘ方向に対してθ３度傾いた方向に延在しており、突起８２６ｂは、Ｘ方向に対して−θ３度傾いた方向に延在している。突起８２５ｂと突起８２６ｂとは、それぞれ長さの異なるものが複数ある。突起８２ａ又は突起８２ｂが延在するＸ方向に対してθ１度、θ２度、又はθ３度傾いた方向又はＸ方向に対して−θ１度、−θ２度、又は−θ３度傾いた方向が、第一の延在方向又は第二の延在方向に相当する。
【０１２８】
対応する色要素５３が三原色である色要素５３Ｒ、色要素５３Ｇ、色要素５３Ｂである画素において、突起８２ａと突起８２ｂとの延在方向は、色要素５３の色に対応してそれぞれ異なっている。対応する色要素５３が三原色の補色である色要素５３Ｃ、色要素５３Ｍ、色要素５３Ｙである画素において、突起８２ａと突起８２ｂとの延在方向は、色要素５３の色に対応してそれぞれ異なっている。
【０１２９】
次に、６色フィルタの突起８２ａ及び突起８２ｂの延在方向の別の一例について説明する。図１５は、６色フィルタの１絵素における突起の延在方向を示す平面図である。図１５にＥ−Ｅで示した断面における断面形状は、上述した図１１に示した断面図の形状と実質的に同等である。
【０１３０】
図１５に示すように、一つの絵素は、対応する色要素５３が光の三原色である色要素５３Ｒ、色要素５３Ｇ、及び色要素５３Ｂである画素と、対応する色要素５３が光の三原色の補色である色要素５３Ｃ、色要素５３Ｍ、及び色要素５３Ｙである画素とで構成されている。対応する色要素５３が光の三原色である色要素５３Ｒ、色要素５３Ｇ、又は色要素５３Ｂである画素に形成された突起８２ａには、延在方向が異なる突起８２１ａと突起８２２ａの２種類がある。ここで、図１２に示した４色フィルタと同様に、１絵素を構成する６種類の色要素５３の中の３色である色要素５３Ｒ、色要素５３Ｇ、色要素５３Ｂ、又は色要素５３Ｃ、色要素５３Ｍ、色要素５３Ｙの並び方向をＸ方向と表記する。突起８２１ａは、Ｘ方向に対してθ１度傾いた方向に延在しており、突起８２２ａは、Ｘ方向に対して−θ１度傾いた方向に延在している。突起８２１ａと突起８２２ａとは、それぞれ長さの異なるものが複数ある。同様に、対応する色要素５３が色要素５３Ｒ、色要素５３Ｇ、又は色要素５３Ｂである画素に形成された突起８２ｂには、延在方向が異なる突起８２１ｂと突起８２２ｂの２種類がある。突起８２１ｂは、Ｘ方向に対してθ１度傾いた方向に延在しており、突起８２２ｂは、Ｘ方向に対して−θ１度傾いた方向に延在している。突起８２１ｂと突起８２２ｂとは、それぞれ長さの異なるものが複数ある。
【０１３１】
対応する色要素５３が光の三原色の補色である色要素５３Ｃ、色要素５３Ｍ、又は色要素５３Ｙである画素に形成された突起８２ａには、延在方向が異なる突起８２７ａと突起８２８ａの２種類がある。突起８２７ａは、Ｘ方向に対してθ５度傾いた方向に延在しており、突起８２８ａは、Ｘ方向に対して−θ５度傾いた方向に延在している。突起８２７ａと突起８２８ａとは、それぞれ長さの異なるものが複数ある。同様に、対応する色要素５３が色要素５３Ｃ、色要素５３Ｍ、又は色要素５３Ｙである画素に形成された突起８２ｂには、延在方向が異なる突起８２７ｂと突起８２８ｂの２種類がある。突起８２７ｂは、Ｘ方向に対してθ５度傾いた方向に延在しており、突起８２８ｂは、Ｘ方向に対して−θ５度傾いた方向に延在している。突起８２７ｂと突起８２８ｂとは、それぞれ長さの異なるものが複数ある。突起８２ａ又は突起８２ｂが延在するＸ方向に対してθ１度又はθ５度傾いた方向又はＸ方向に対して−θ１度又は−θ５度傾いた方向が、第一の延在方向又は第二の延在方向に相当する。
【０１３２】
対応する色要素５３が色要素５３Ｒである画素と、対応する色要素５３が色要素５３Ｒと互いに補色の関係である色要素５３Ｃである画素とにおいて、突起８２ａと突起８２ｂとの延在方向は、それぞれ異なっている。対応する色要素５３が色要素５３Ｇである画素と、対応する色要素５３が色要素５３Ｇと互いに補色の関係である色要素５３Ｍである画素とにおいて、突起８２ａと突起８２ｂとの延在方向は、それぞれ異なっている。対応する色要素５３が色要素５３Ｂである画素と、対応する色要素５３が色要素５３Ｂと互いに補色の関係である色要素５３Ｙである画素とにおいて、突起８２ａと突起８２ｂとの延在方向は、それぞれ異なっている。
【０１３３】
次に、配向規制手段の他の形状の一例である溝状の配向規制手段について説明する。図１６は、液晶層と接する面に凹部が形成された液晶パネルの、駆動電圧が印加されていない時の液晶の配向方向を示す断面図である。図１６（ａ）は、第１基板と第２基板との液晶層と接する面に凹部が形成された液晶パネルの、駆動電圧が印加されていない時の液晶の配向方向を示す断面図であり、図１６（ｂ）は、第２基板の液晶層と接する面に突起が形成され、第１基板との液晶層と接する面に凹部が形成された液晶パネルの、駆動電圧が印加されていない時の液晶の配向方向を示す断面図である。
【０１３４】
図１６（ａ）に示した液晶パネル１００の第１基板１２７ａは、上述した第１基板２７ａと同様に、基材３１ａ上に、第一電極１０４ａ、配向膜１０６ａが形成されている。第一電極１０４ａにはスリットが形成されており、当該スリットの部分に形成された配向膜１０６ａは凹んで凹部８３ａが形成されている。なお、反射膜３２及び絶縁膜３３は、液晶の配向には影響しないため、図１６では図示省略した。第２基板１２７ｂは、基材３１ｂ上に、隔壁５６と色要素５３が形成されており、隔壁５６と色要素５３との上に第二電極１０４ｂ、配向膜１０６ｂが形成されている。第二電極１０４ｂにはスリットが形成されており、当該スリットの部分に形成された配向膜１０６ｂは凹んで凹部８３ｂが形成されている。第１基板１２７ａと第２基板１２７ｂとは、配向膜１０６ａと配向膜１０６ｂとが隙間を隔てて対向するように貼り合わされており、配向膜１０６ａと配向膜１０６ｂとの間の隙間に液晶Ｌが充填されている。
【０１３５】
第一電極１０４ａと第二電極１０４ｂとの間に駆動電圧が印加されていない状態の液晶パネル１００において、上述したように、液晶Ｌの液晶分子Ｌａは、配向膜１０６ａ又は配向膜１０６ｂに垂直に配向する。凹部８３ａや凹部８３ｂの部分では、それぞれの凹部の面に対して垂直に配向する。凹部８３ａや凹部８３ｂの側面などに垂直に配向した液晶分子Ｌａは、パネル面垂直方向に対して傾いて配向している。液晶分子Ｌａがパネル面垂直方向に配向することで、液晶層は光を透過させない。
【０１３６】
第一電極１０４ａと第二電極１０４ｂとの間に所定の駆動電圧が印加されると、液晶分子Ｌａは、電界の方向に対して略垂直となるように倒れる。液晶分子Ｌａが、略パネル面方向に配向することで、液晶層を光が透過する。印加された電圧が低く電界の強さが弱い場合は、パネル面垂直方向とパネル面方向の間の電界の強さに応じた角度に配向する。この配向角度を調整することで、透過光量を調整し、画素の明るさを調整する。絵素を構成する各画素の明るさを調整することで、絵素の色を形成する。
【０１３７】
第一電極１０４ａと第二電極１０４ｂとの間に所定の駆動電圧が印加されると、凹部８３ａや凹部８３ｂの側面などに垂直に配向することでパネル面垂直方向に対して傾いて配向している液晶分子Ｌａは、最初に傾いていた方向に倒れる。傾いて配向していた液晶分子Ｌａに隣接する他の液晶分子Ｌａも影響を受けて同じ方向に倒れる。図１６（ａ）の領域Ｅ３の範囲の液晶分子Ｌａは同じ方向に倒れ、領域Ｅ４の範囲の液晶分子Ｌａは、領域Ｅ３の範囲の液晶分子Ｌａが倒れた方向とは異なる方向で、同一方向に倒れる。したがって、駆動電圧が印加されたときに、凹部８３ａ又は凹部８３ｂを境にして駆動電圧が印加されたときに液晶分子Ｌａが倒れる方向が異なる領域が形成される。すなわち、凹部８３ａ又は凹部８３ｂによって複数に分割され配向方向制御された色要素領域５２では、異なる視角依存性を有することになるため、液晶パネル１００の視角特性はより広視野角となる。凹部８３ａ又は凹部８３ｂが、配向規制手段に相当する。
【０１３８】
パネル面方向の凹部８３ａと凹部８３ｂとの延在方向及び形成されている位置は、図１２乃至１５を参照して説明した突起８２ａ及び突起８２ｂの延在方向及び形成されている位置と同様である。
【０１３９】
図１６（ｂ）に示した液晶パネル１１０の第１基板１２８ａは、上述した第１基板１２７ａと同様に、基材３１ａ上に、第一電極１０５ａ、配向膜１０６ａが形成されている。第一電極１０５ａにはスリットが形成されており、当該スリットの部分に形成された配向膜１０６ａは凹んで凹部８４ａが形成されている。液晶パネル１１０の第２基板は、上述した第２基板２７ｂであって、基材３１ｂ上に、隔壁５６と色要素５３が形成されており、隔壁５６と色要素５３との上に第二電極３４ｂ、突起８２ｂ、配向膜３６ｂが形成されている。第１基板１２８ａと第２基板２７ｂとは、配向膜１０６ａと配向膜３６ｂとが隙間を隔てて対向するように貼り合わされており、配向膜１０６ａと配向膜３６ｂとの間の隙間に液晶Ｌが充填されている。凹部８４ａと突起８２ｂとはパネル面方向に延在しており、その延在方向は略同一である。凹部８４ａと突起８２ｂとは、パネル面垂直方向において、略重なりあっている。
【０１４０】
上述したように、第一電極１０５ａと第二電極３４ｂとの間に駆動電圧が印加されていない状態の液晶パネル１１０において、液晶Ｌの液晶分子Ｌａは、配向膜１０６ａ又は配向膜３６ｂに垂直に配向する。凹部８４ａや突起８２ｂの部分では、それぞれの凹部又は突起の面に対して垂直に配向する。凹部８４ａや突起８２ｂの側面などに垂直に配向した液晶分子Ｌａは、パネル面垂直方向に対して傾いて配向している。図１６（ｂ）に示したように、凹部８４ａと突起８２ｂとは、パネル面垂直方向において、略重なりあって対向しているため、液晶分子Ｌａが凹部８４ａの影響で傾けられる方向と、突起８２ｂの影響で傾けられる方向とは、同一になる。
【０１４１】
第一電極１０５ａと第二電極３４ｂとの間に所定の駆動電圧が印加されると、液晶分子Ｌａは、電界の方向に対して略垂直となるように倒れる。液晶分子Ｌａが、略パネル面方向に配向することで、液晶層を光が透過する。印加された電圧が低く電界の強さが弱い場合は、パネル面垂直方向とパネル面方向の間の電界の強さに応じた角度に配向する。この配向角度を調整することで、透過光量を調整し、画素の明るさを調整する。絵素を構成する各画素の明るさを調整することで、絵素の色を形成する。
【０１４２】
第一電極１０５ａと第二電極３４ｂとの間に所定の駆動電圧が印加されると、凹部８４ａや突起８２ｂの側面などに垂直に配向することでパネル面垂直方向に対して傾いて配向している液晶分子Ｌａは、最初に傾いていた方向に倒れる。傾いて配向していた液晶分子Ｌａに隣接する他の液晶分子Ｌａも影響を受けて同じ方向に倒れる。図１６（ｂ）の領域Ｅ５の範囲の液晶分子Ｌａは同じ方向に倒れ、領域Ｅ６の範囲の液晶分子Ｌａは、領域Ｅ５の範囲の液晶分子Ｌａが倒れた方向とは異なる方向で、同一方向に倒れる。したがって、駆動電圧が印加されたときに、凹部８４ａと突起８２ｂを境にして駆動電圧が印加されたときに液晶分子Ｌａが倒れる方向が異なる領域が形成される。すなわち、凹部８４ａと突起８２ｂによって複数に分割され配向方向制御された色要素領域５２では、異なる視角依存性を有することになるため、液晶パネル１１０の視角特性はより広視野角となる。なお、凹部８４ａ及び突起８２ｂを境にして駆動電圧が印加されたときに液晶分子Ｌａが反対側に倒れるため、隣合う凹部８４ａ及び突起８２ｂの中間位置に、液晶分子Ｌａが倒れる方向が反対側になる分岐点ができる。図１６（ｂ）では、隔壁５６の中央付近に分岐点ができる。凹部８４ａ又は突起８２ｂが、配向規制手段に相当する。
【０１４３】
液晶パネル１１０における突起８２ｂのパネル面方向の延在方向及び形成されている位置は、図１２乃至１５を参照して説明した突起８２ｂの延在方向及び形成されている位置と同様である。凹部８４ａのパネル面方向の延在方向及び形成されている位置も、図１２乃至１５を参照して説明した突起８２ｂの延在方向及び形成されている位置と略重なる延在方向及び位置である。
【０１４４】
以下、第一の実施形態の効果を記載する。
（１）図１２又は図１３に示した絵素において、絵素を構成するそれぞれの色の色要素５３に対応する位置に形成された配向規制手段である突起８２ａ、突起８２ｂ、凹部８３ａ、凹部８３ｂ、又は凹部８４ａの延在方向がそれぞれ異なる。即ち、絵素を構成する各色の画素において、各色毎に配向規制手段である突起８２ａ、突起８２ｂ、凹部８３ａ、凹部８３ｂ、又は凹部８４ａの延在方向を個別に設定することで、突起８２ａ、突起８２ｂ、凹部８３ａ、凹部８３ｂ、又は凹部８４ａによって規制される液晶の配向方向を各色に応じた適切な方向に設定してある。このように、各色毎に配向規制手段である突起８２ａ、突起８２ｂ、凹部８３ａ、凹部８３ｂ、又は凹部８４ａの延在方向を個別に設定することで、配向規制手段によって液晶の配向方向を規制して視野角を広げるとともに、広がった視野角の中で、適切な色バランスを実現することができる。
【０１４５】
（２）図１２、図１３、又は図１４に示した絵素においては、対応する色要素５３が三原色である色要素５３Ｒ、色要素５３Ｇ、色要素５３Ｂである画素において、突起８２ａ、突起８２ｂ、凹部８３ａ、凹部８３ｂ、又は凹部８４ａの延在方向は、色要素５３の色に対応してそれぞれ異なっている。即ち、絵素を構成する光の三原色の画素において、各色毎に配向規制手段である突起８２ａ、突起８２ｂ、凹部８３ａ、凹部８３ｂ、又は凹部８４ａの延在方向を個別に設定することで、突起８２ａ、突起８２ｂ、凹部８３ａ、凹部８３ｂ、又は凹部８４ａによって規制される液晶の配向方向を各色に応じた適切な方向に設定してある。このように、三原色の各色毎に延在方向を個別に設定することで、配向規制手段によって光の三原色の各色の色要素を有する画素の液晶の配向方向を規制して視野角を広げるとともに、広がった視野角の中で、光の三原色がガマット上に形成する三角形の内側の色について、適切な色バランスを実現することができる。
【０１４６】
（３）図１３又は図１４に示した絵素においては、対応する色要素５３が三原色の補色である色要素５３Ｃ、色要素５３Ｍ、色要素５３Ｙである画素において、突起８２ａ、突起８２ｂなどの延在方向は、色要素５３の色に対応してそれぞれ異なっている。即ち、絵素を構成する光の三原色の補色の画素において、各色毎に配向規制手段である突起８２ａ、突起８２ｂなどの延在方向を個別に設定することで、突起８２ａ、突起８２ｂなどによって規制される液晶の配向方向を各色に応じた適切な方向に設定してある。このように、三原色の補色の各色毎に配向方向を個別に設定することで、配向規制手段によって光の三原色の補色の各色の色要素を有する画素の液晶の配向方向を規制して視野角を広げるとともに、広がった視野角の中で、光の三原色の補色がガマット上に形成する三角形の内側の色について、適切な色バランスを実現することができる。
【０１４７】
（４）図１３又は図１５に示した絵素においては、対応する色要素５３が色要素５３Ｒである画素と、対応する色要素５３が色要素５３Ｒと互いに補色の関係である色要素５３Ｃである画素とにおいて、突起８２ａ、突起８２ｂなどの延在方向は、それぞれ異なっている。対応する色要素５３が色要素５３Ｇである画素と、対応する色要素５３が色要素５３Ｇと互いに補色の関係である色要素５３Ｍである画素とにおいて、突起８２ａ、突起８２ｂなどの延在方向は、それぞれ異なっている。対応する色要素５３が色要素５３Ｂである画素と、対応する色要素５３が色要素５３Ｂと互いに補色の関係である色要素５３Ｙである画素とにおいて、突起８２ａ、突起８２ｂなどの延在方向は、それぞれ異なっている。即ち、絵素を構成する互いに補色の関係にある各色の画素における突起８２ａ、突起８２ｂなどの延在方向を、当該突起又は凹部によって配向方向を規制された液晶の配向方向が各色間のバランスがとれるような適切な方向となるように設定してある。このように、互いに補色の関係にある各色の画素における突起８２ａ、突起８２ｂなどの延在方向を個別に設定することで、互いに補色関係にある色について配向規制手段によって液晶の配向方向を規制して視野角を広げるとともに、広がった視野角の中で、適切な色バランスを実現することができる。
【０１４８】
（５）図１３又は図１４に示した絵素においては、有効面積が同一である色要素５３の各色間で、各色の色要素に対応する位置に形成された突起８２ａ、突起８２ｂなどの延在方向がそれぞれ異なっている。即ち、同じ有効面積である各色の画素における突起８２ａ、突起８２ｂなどの延在方向を、当該突起によって配向方向を規制される液晶の配向方向が各色間のバランスがとれるような適切な方向となるように各色毎に個別に調整して設定してある。これにより、有効面積が同一である各色要素５３毎に配向規制手段である突起８２ａ、突起８２ｂなどの延在方向を個別に設定することで、配向規制手段によって有効面積が同一である色要素を有する画素の液晶の配向方向を規制して視野角を広げるとともに、広がった視野角の中で、有効面積が同一である色要素の色がガマット上に形成する多角形の内側の色について、適切な色バランスを実現することができる。
【０１４９】
（６）図１３又は図１５に示した絵素においては、有効面積が異なる色要素５３間で各色の色要素に対応する位置に形成された突起８２ａ、突起８２ｂなどの延在方向が互いに異なっている。即ち、絵素を構成する互いに有効面積が異なる各色の画素における突起８２ａ、突起８２ｂなどの延在方向を、当該突起によって配向方向を規制された液晶の配向方向が各色間のバランスがとれるような適切な方向となるように設定してある。これにより、配向規制手段によって有効面積が異なる色要素５３を有する画素において、色要素５３の有効面積毎に配向規制手段である突起８２ａ、突起８２ｂなどの延在方向を個別に設定することで、液晶の配向方向を規制して視野角を広げるとともに、有効面積を変えることで適切な色バランスが得られる各色について、広がった視野角の中で、適切な色バランスを実現することができる。
【０１５０】
（第二の実施形態）
次に、本発明に係る電子機器について説明する。本実施形態の電子機器は、第一の実施形態で説明した液晶表示装置を備えた電子機器である。本実施形態の電子機器の具体例について説明する。
【０１５１】
図１７は、電子機器の一例である大型液晶テレビを示す外観斜視図である。図１７に示すように、電子機器の一例である大型液晶テレビ２００は、表示部２０１を備えている。表示部２０１は、第一の実施形態で説明した液晶表示装置２１を表示手段として搭載している。
【０１５２】
以下、第二の実施形態の効果を記載する。
（１）大型液晶テレビ２００は、配向規制手段によって液晶の配向方向を規制して視野角を広げるとともに、各色毎に配向方向を個別に設定することで、広がった視野角の中で、適切な色バランスを実現することができる液晶装置を備えることから、色バランスが良好で視野角が広い大型液晶テレビ２００を実現することができる。
【０１５３】
以上、添付図面を参照しながら本発明に係る好適な実施形態について説明したが、本発明の実施形態は、前記実施形態に限らない。本発明は、前記実施形態に限定されるものではなく、本発明の要旨を逸脱しない範囲内において種々変更を加え得ることは勿論であり、以下のように実施することもできる。
【０１５４】
（変形例１）前記実施形態においては、上下基板にストライプ状の電極を有する液晶パネルについて説明したが、表示装置がストライプ状の電極を有する液晶パネルであることは必須ではない。薄膜トランジスタ（ＴＦＤ：Thin Film Transistor）を用いて画素を制御するＴＦＴパネルや、薄膜ダイオード（ＴＦＤ：Thin Film Diode）を用いて画素を制御するＴＦＤパネルであってもよい。ＴＦＴパネルやＴＦＤパネルにおいては、ＴＦＴやＴＦＤが形成された素子基板が電極基板に相当し、素子基板に対向する基板が対向基板に相当する。
【０１５５】
（変形例２）前記実施形態においては、ＭＶＡ（Multi‐domain Vertical Alignment）方式の液晶表示装置を例に説明したが、液晶表示装置はＩＰＳ（In‐Plane SWITCHING）方式の液晶表示装置であってもよい。この場合、隣合う電極間の隙間が、配向規制手段となる。
【０１５６】
（変形例３）前記実施形態においては、凹部８３ａ，８３ｂ，８４ａは、第一電極１０４ａ、第二電極１０４ｂ、第一電極１０５ａなどの画素電極にスリットを設けることで形成していたが、凹部を画素電極にスリットを設けることで形成することは必須ではない。突起を形成する場合と同様の材料を一部を除く全面に積層し、一部積層しない部分で凹部を形成してもよい。
【０１５７】
（変形例４）前記実施形態においては、４色フィルタにおいて全ての色要素の画素において配向規制手段の延在方向が異なる例について説明したが、全ての色要素において配向規制手段の延在方向が異なることは必須ではない。少なくとも３色の色要素間において配向規制手段の延在方向が異なる構成であってもよい。
【０１５８】
（変形例５）前記実施形態においては、６色フィルタにおいて全ての色の色要素５３の画素において配向規制手段の延在方向が異なる例について説明したが、全ての色の色要素５３の画素において配向規制手段の延在方向が異なることは必須ではない。任意の３色の画素間において配向規制手段の延在方向が異なる構成であってもよい。
【０１５９】
（変形例６）前記実施形態においては、色要素５３が三原色である画素間において配向規制手段の延在方向が異なると共に、色要素５３が三原色の補色である画素間において配向規制手段の延在方向が異なる例について説明したが、色要素５３が三原色である画素間と色要素５３が三原色の補色である画素間で共に配向規制手段の延在方向が異なることは必須ではない。色要素５３が三原色である画素間、又は色要素５３が三原色の補色である画素間のいずれか一方において配向規制手段の延在方向が異なる構成であってもよい。
【０１６０】
（変形例７）前記実施形態においては、第１基板２７ａと第２基板２７ｂの両方、又は第１基板１２７ａと第２基板１２７ｂの両方に配向規制手段である突起８２ａ、突起８２ｂ、凹部８３ａ、凹部８３ｂ、又は凹部８４ａを設けていたが、第１基板と第２基板の両方に配向規制手段を設けることは必須ではない。第１基板と第２基板のいずれか一方にのみ配向規制手段を設ける構成であってもよい。
【０１６１】
（変形例８）前記実施形態においては、４色フィルタと６色フィルタの例について説明したが、多色フィルタは４色又は６色に限らない。色要素の色数は４以上のどのような数であってもよい。
【０１６２】
（変形例９）前記実施形態においては、４色フィルタとしてＲ（赤色）、Ｇ（緑色）、Ｂ（青色）、Ｗ（無色透明）の４色の色要素５３を有するカラーフィルタについて説明したが、４色フィルタの色はＲ（赤色）、Ｇ（緑色）、Ｂ（青色）、Ｗ（無色透明）の４色に限らない。例えば、シアン（青緑）、マゼンダ（紫赤）、イエロー（黄色）の３色に緑色を加えた４色補色フィルタであってもよいし、他の４色の色要素を有する４色フィルタであってもよい。
【０１６３】
（変形例１０）前記実施形態においては、６色フィルタとしてＲ（赤色）、Ｇ（緑色）、Ｂ（青色）、シアン（青緑）、マゼンダ（紫赤）、イエロー（黄色）の６色の色要素５３を有するカラーフィルタについて説明したが、６色フィルタの色はＲ（赤色）、Ｇ（緑色）、Ｂ（青色）、シアン（青緑）、マゼンダ（紫赤）、イエロー（黄色）の６色に限らない。他の６色の色要素を有する６色フィルタであってもよい。
【０１６４】
（変形例１１）前記実施形態においては、一つの色要素５３の範囲内に延在方向が異なる突起８２又は凹部８３又は凹部８４が形成された例について説明したが、一つの色要素５３の範囲内に含まれる配向規制部材の延在方向が２種類であることは必須ではない。一つの色要素５３の範囲内に含まれる配向規制部材の延在方向は、１種類であってもよいし、３種類以上であってもよい。
【０１６５】
（変形例１２）前記実施形態においては、カラーフィルタは第２基板上に形成されていたが、カラーフィルタを第２基板上に形成することは必須ではない。カラーフィルタを第１基板上に形成する構成であってもよい。例えばＴＦＴパネルでは、ＴＦＴが形成された素子基板にカラーフィルタを形成してもよいし、液晶層を挟んで素子基板に対向する対向基板にカラーフィルタを形成してもよい。
【０１６６】
（変形例１３）前記実施形態においては、隔壁５６を設けることで色要素領域５２を構成し、色要素領域５２に色素材料を充填することで色要素５３を形成していたが、隔壁５６を設けることは必須ではない。色要素５３どうしが互いに直接接触する構成であってもよい。
【０１６７】
（変形例１４）前記実施形態においては、隔壁５６や色要素５３を形成するために液滴吐出法を用いたが、液滴吐出法によって隔壁５６や色要素５３を形成することは必須ではない。フォトリソグラフィー法や印刷法等、他の形成方法によって隔壁５６や色要素５３を形成してもよい。
【０１６８】
（変形例１５）前記実施形態においては、液晶装置として、装置の表示面に画像を表示する液晶表示装置について説明したが、本発明は、装置の表示面に画像を表示する液晶表示装置以外にも、例えば、液晶プロジェクタなどの液晶を利用する他の装置にも適用することができる。
【０１６９】
（変形例１６）前記実施形態の６色フィルタにおいては、光の三原色であるＲ（赤色）、Ｇ（緑色）、Ｂ（青色）の補色であるＣ（シアン）、Ｍ（マゼンダ）、Ｙ（イエロー）の色要素５３Ｃ，５３Ｍ，５３Ｙの面積は、Ｒ（赤色）、Ｇ（緑色）、Ｂ（青色）の色要素５３Ｒ，５３Ｇ，５３Ｂの面積より小さくなっていたが、色要素５３Ｃ，５３Ｍ，５３Ｙの面積が色要素５３Ｒ，５３Ｇ，５３Ｂの面積より小さいことは必須ではない。色要素５３Ｃ，５３Ｍ，５３Ｙの面積が色要素５３Ｒ，５３Ｇ，５３Ｂの面積より大きい構成であっても良いし、色要素５３Ｃ，５３Ｍ，５３Ｙの面積が色要素５３Ｒ，５３Ｇ，５３Ｂの面積と同じ構成であってもよい。
【０１７０】
（変形例１７）前記実施形態においては、色要素５３の形状、即ち画素の形状は方形であり、画素が組合された絵素の形状も方形であったが、画素や絵素の形状は方形に限らない。例えば、画素が三角形であって、三角形の画素が組合されて三角形や台形や六角形の絵素を形成する構成であってもよいし、画素が六角形であって、六角形の画素が組合されて絵素を形成する構成であってもよい。また、異なる形状の画素を組合わせて、絵素を形成する構成であってもよい。
【０１７１】
（変形例１８）前記実施形態においては、絵素フィルタ５４，５７は、当該絵素が有する色の色要素５３を一色あたり１個づつ有していたが、１絵素を構成する色要素が一色あたり１個であることは必須ではない。１個の絵素フィルタの中に同一色の色要素を複数備え、絵素フィルタ内に分散して配置する構成であってもよい。
【符号の説明】
【０１７２】
１…マザー基板、１０…カラーフィルタ基板、２１…液晶表示装置、２２…液晶パネル、２７ａ，１２７ａ，１２８ａ…第１基板、２７ｂ，１２７ｂ…第２基板、３１ａ…基材、３１ｂ…基材、３４ａ，１０４ａ、１０５ａ…第一電極、３４ｂ，１０４ｂ…第二電極、３６ａ，３６ｂ…配向膜、３８，５０…カラーフィルタ、５２…色要素領域、５３，５３Ｂ，５３Ｃ，５３Ｇ，５３Ｍ，５３Ｒ，５３Ｗ，５３Ｙ…色要素、５４，５７…絵素フィルタ、５６…隔壁、８１…ガラス基板、８２，８２ａ，８２ｂ，８２１ａ，８２１ｂ，８２２ａ，８２２ｂ，８２３ａ，８２３ｂ，８２４ａ，８２４ｂ，８２５ａ，８２５ｂ，８２６ａ，８２６ｂ，８２７ａ，８２７ｂ，８２８ａ，８２８ｂ，８２９ａ，８２９ｂ，８２０ａ，８２０ｂ，８２Ｊａ，８２Ｊｂ，８２Ｋａ，８２Ｋｂ，８２Ｖａ，８２Ｖｂ，８２Ｗａ，８２Ｗｂ…突起、８３、８３ａ、８３ｂ、８４、８４ａ…凹部、１００，１１０…液晶パネル、１０６ａ、１０６ｂ…配向膜、２００…大型液晶テレビ、２０１…表示部。
【図１】
0004544368.tif 000002
【図２】
0004544368.tif 000003
【図３】
0004544368.tif 000004
【図４】
0004544368.tif 000005
【図５】
0004544368.tif 000006
【図６】
0004544368.tif 000007
【図７】
0004544368.tif 000008
【図８】
0004544368.tif 000009
【図９】
0004544368.tif 000010
【図１０】
0004544368.tif 000011
【図１１】
0004544368.tif 000012
【図１２】
0004544368.tif 000013
【図１３】
0004544368.tif 000014
【図１４】
0004544368.tif 000015
【図１５】
0004544368.tif 000016
【図１６】
0004544368.tif 000017
【図１７】
0004544368.tif 000018